(57)【要約】【課題】複数の水質浄化装置の間隔を調整できるとともに、水質浄化装置の高さ方向の位置も調整することができる水質浄化装置を提供する。【解決手段】水質浄化装置５は、装置本体７と、装置本体７に収納される浄化材収納ユニット１００を有し、装置本体７は、連結部材３００により連設され、上横板３２、５２には、複数の穴部が設けられ、連結部材３００には、３つ以上の穴部が設けられ、これにより、合わせる穴部の組み合わせが複数設けられている。また、脚部８０等には、３つ以上の穴部が設けられ、右縦板１２や左縦板２２には、前後それぞれ上下方向に複数の穴部が設けられているので、合わせる穴部の組み合わせが複数設けられている。浄化材収納ユニット１００には、浄化材（例えば、竹炭）が収納されている。【選択図】図１１
2018089588.tif 000002
【特許請求の範囲】
【請求項１】
水質浄化システムであって、
水質浄化装置（５）と、水質浄化装置を連結するための連結部材（３００、４００）とを有し、
水質浄化装置は、装置本体（７）と、装置本体に収納される浄化材収納部（２０１）と、浄化材収納部に収納された浄化材（２５０）とを有し、
装置本体は、浄化材収納部を収納するための収納本体部（８）と、収納本体部に取り付けられた脚部（８０〜８６）とを有し、
収納本体部は、
板状を呈し、前後方向に横長で上下方向に設けられた右縦部（１２）と、
右縦部と平行な板状を呈し、前後方向に横長の左縦部（２２）と、
右縦部の上辺における一方の端部側である正面側の位置と左縦部の上辺における一方の端部側である正面側の位置の間に設けられた板状の第１上横部で、複数の連結部材取付け用穴部（Ｋ１１〜Ｋ１５）が左右方向に間隔を介して設けられた第１上横部（３２）と、
右縦部の上辺における他方の端部側である背面側の位置と左縦部の上辺における他方の端部側である背面側の位置の間に設けられた板状の第２上横部で、複数の連結部材取付け用穴部（Ｋ１１〜Ｋ１５）が左右方向に間隔を介して設けられた第２上横部（５２）と、
右縦部と左縦部の間に設けられ、収納本体部の底面側を構成する底面構成部で、浄化材収納部を支持するとともに、開口部及び／又は切欠部を有する底面構成部（７０、７２、１４、２４）と、を有し、
収納本体部の正面側は、水が通過可能なように、第１上横部の下側の空間と連通し、収納本体部の背面側は、水が通過可能なように、第２上横部の下側の空間と連通し、第１上横部の下側の空間と第２上横部と下側の空間は、浄化材収納部を収納するための収納空間と連通し、
右縦部と左縦部には、前後両側にそれぞれ複数の脚部取付け用穴部（Ｋ１、Ｋ２、Ｋ３、Ｋ４）が上下方向に間隔を介して設けられ、
脚部には、右縦部と左縦部に取り付けるための３つ以上の縦部取付け用穴部（Ｋ２１〜Ｋ２５）が列状に間隔を介して設けられ、
連結部材には、第１上横部と第２上横部に取り付けるための３つ以上の上横部取付け用穴部（Ｋ３１〜Ｋ３９、Ｋ４１〜Ｋ４５）が列状に間隔を介して設けられ、
第１上横部と第２上横部において、複数の連結部材取付け用穴部における左右方向に隣接する連結部材取付け用穴部間の間隔と、連結部材において、複数の上横部取付け用穴部における隣接する上横部取付け用穴部間の間隔は、第１の間隔であり、
右縦部と左縦部において、上下方向に設けられた複数の脚部取付け用穴部における上下方向に隣接する脚部取付け用穴部間の間隔と、脚部において、複数の縦部取付け用穴部にける隣接する縦部取付け用穴部間の間隔は、第２の間隔であり、
脚部取付け用穴部と縦部取付け用穴部を合わせた状態で、第１固定具により脚部が右縦部に取り付けられるとともに脚部が左縦部に取り付けられ、脚部取付け用穴部と縦部取付け用穴部において合わせる穴部の組み合わせが複数設けられ、
上横部取付け用穴部と連結部材取付け用穴部を合わせた状態で、第２固定具により連結部材が上横部取付け用穴部に取り付けられ、上横部取付け用穴部と連結部材取付け用穴部において合わせる穴部の組み合わせが複数設けられることを特徴とする水質浄化システム。
【請求項２】
第１上横部よりも下側の位置に第１上横部と対向して板状の第１下横部（４２）が設けられ、第１下横部には、複数の連結部材取付け用穴部（Ｋ１１〜Ｋ１５）が、第１上横部の連結部材取付け用穴部と対向した位置に設けられ、
第２上横部よりも下側の位置に第２上横部と対向して板状の第２下横部（６２）が設けられ、第２下横部には、複数の連結部材取付け用穴部（Ｋ１１〜Ｋ１５）が、第２上横部の連結部材取付け用穴部と対向した位置に設けられ、
収納本体部の正面側には、第１上横部と第１下横部間の空間と連通する第１開口部（４９）が設けられ、収納本体部の背面側には、第２上横部と第２下横部間の空間と連通する第２開口部（４９）が設けられ、第１上横部と第１下横部間の空間と第２上横部と第２下横部間の空間は、浄化材収納部を収納するための収納空間と連通していることを特徴とする請求項１に記載の水質浄化システム。
【請求項３】
水質浄化システムであって、
水質浄化装置（５）と、水質浄化装置を連結するための連結部材（３００、４００）とを有し、
水質浄化装置は、装置本体（７）と、装置本体に収納される浄化材収納部（２０１）と、浄化材収納部に収納された浄化材（２５０）とを有し、
装置本体は、浄化材収納部を収納するための収納本体部（８）と、収納本体部に取り付けられた脚部（８０〜８６）とを有し、
収納本体部は、
板状を呈し、前後方向に横長で上下方向に設けられた右縦部（１２）と、右縦部の下辺から左側面側に連設された板状の右横部（１４）とを有する右構成部（１０）と、
右縦部と平行な板状を呈し、前後方向に横長の左縦部（２２）と、左縦部の下辺から右側面側に連設された板状の左横部（２４）とを有する左構成部（２０）と、
右縦部の上辺における一方の端部側である正面側の位置と左縦部の上辺における一方の端部側である正面側の位置の間に設けられた板状の第１上横部で、複数の連結部材取付け用穴部（Ｋ１１〜Ｋ１５）が左右方向に間隔を介して設けられた第１上横部（３２）と、
右横部と左横部の間に設けられ、第１上横部と対向する板状の第１下横部（４２）と、
右縦部の上辺における他方の端部側である背面側の位置と左縦部の上辺における他方の端部側である背面側の位置の間に設けられた板状の第２上横部で、複数の連結部材取付け用穴部（Ｋ１１〜Ｋ１５）が左右方向に間隔を介して設けられた第２上横部（５２）と、
右横部と左横部の間に設けられ、第２上横部と対向する板状の第２下横部（６２）と、
右横部と左横部間に設けられた横架部で、浄化材収納部を支持するための横架部（７０、７２）と、を有し、
収納本体部の正面側には、水が通過可能なように、第１上横部と第１下横部間の空間と連通する第１開口部（４９）が設けられ、収納本体部の背面側には、水が通過可能なように、第２上横部と第２下横部間の空間と連通する第２開口部（４９）が設けられ、第１上横部と第１下横部間の空間と第２上横部と第２下横部間の空間は、浄化材収納部を収納するための収納空間と連通し、
右縦部と左縦部には、前後両側にそれぞれ複数の脚部取付け用穴部（Ｋ１、Ｋ２、Ｋ３、Ｋ４）が上下方向に間隔を介して設けられ、
脚部には、右縦部と左縦部に取り付けるための３つ以上の縦部取付け用穴部（Ｋ２１〜Ｋ２５）が列状に間隔を介して設けられ、
連結部材には、第１上横部と第２上横部に取り付けるための３つ以上の上横部取付け用穴部（Ｋ３１〜Ｋ３９、Ｋ４１〜Ｋ４５）が第２間隔を介して設けられ、
第１上横部と第２上横部において、複数の連結部材取付け用穴部における左右方向に隣接する連結部材取付け用穴部間の間隔と、連結部材において、複数の上横部取付け用穴部における隣接する上横部取付け用穴部間の間隔は、第１の間隔であり、
右縦部と左縦部において、上下方向に設けられた複数の脚部取付け用穴部における上下方向に隣接する脚部取付け用穴部間の間隔と、脚部において、複数の縦部取付け用穴部にける隣接する縦部取付け用穴部間の間隔は、第２の間隔であり、
脚部取付け用穴部と縦部取付け用穴部を合わせた状態で、第１固定具により脚部が右縦部に取り付けられるとともに脚部が左縦部に取り付けられ、脚部取付け用穴部と縦部取付け用穴部において合わせる穴部の組み合わせが複数設けられ）、
上横部取付け用穴部と連結部材取付け用穴部を合わせた状態で、第２固定具により連結部材が上横部取付け用穴部に取り付けられ、上横部取付け用穴部と連結部材取付け用穴部において合わせる穴部の組み合わせが複数設けられることを特徴とする水質浄化システム。
【請求項４】
第１下横部には、複数の連結部材取付け用穴部（Ｋ１１〜Ｋ１５）が、第１上横部の連結部材取付け用穴部と対向した位置に設けられ、
第２下横部には、複数の連結部材取付け用穴部（Ｋ１１〜Ｋ１５）が、第２上横部の連結部材取付け用穴部と対向した位置に設けられていることを特徴とする請求項３に記載の水質浄化システム。
【請求項５】
第１上横部の正面側の端部から下方に連設された第１上縦部（３４）と、第１下横部の正面側の端部から上方に連設された第１下縦部（４４）と、第２上横部の背面側の端部から下方に連設された第２上縦部（５４）と、第２下横部の背面側の端部から上方に連設された第２下縦部（６４）とが設けられ、
第１上縦部と第１下縦部の間に該第１開口部が設けられ、第２上縦部と第２下縦部の間に第２開口部が設けられていることを特徴とする請求項２又は３又は４に記載の水質浄化システム。
【請求項６】
脚部取付け用穴部において、正面側の脚部取付け用穴部は、脚部が右縦部の上辺や左縦部の上辺よりも突出して取り付けられた場合に第１上横部に取り付けられた連結部材と干渉しないように、第１上横部の連結部材取付け用穴部の前後方向の位置に対して正面側又は背面側にずれて形成され、また、背面側の脚部取付け用穴部は、脚部が右縦部の上辺や左縦部の上辺よりも突出して取り付けられた場合に第２上横部に取り付けられた連結部材と干渉しないように、第２上横部の連結部材取付け用穴部の前後方向の位置に対して正面側又は背面側にずれて形成されていることを特徴とする請求項１又は２又は３又は４又は５に記載の水質浄化システム。
【請求項７】
右縦部と左縦部には、水が通過可能なように、開口部が設けられていることを特徴とする請求項１又は２又は３又は４又は５又は６に記載の水質浄化システム。
【請求項８】
浄化材収納部は、袋状に形成された網材により形成されていることを特徴とする請求項１又は２又は３又は４又は５又は６又は７に記載の水質浄化システム。
【請求項９】
水質浄化装置が、浄化材を収納するための立体状の枠体である枠状部（１０５）を有し、枠状部は、浄化材を収納した状態で浄化材収納部に収納されていることを特徴とする請求項１又は２又は３又は４又は５又は６又は７又は８に記載の水質浄化システム。
【請求項１０】
浄化材収納部を収納本体部に固定するための固定手段（Ｋ５、Ｋ６、２１０ａ、２１０ｂ、２１２ａ、２１２ｂ、２１４ａ、２１４ｂ、２１６ａ、２１６ｂ）が設けられていることを特徴とする請求項１又は２又は３又は４又は５又は６又は７又は８又は９に記載の水質浄化システム。
【請求項１１】
第１間隔と第２間隔は同一の長さであることを特徴とする請求項１又は２又は３又は４又は５又は６又は７又は８又は９又は１０に記載の水質浄化システム。
【請求項１２】
水質浄化装置は、トレー本体（５１０）と、トレー本体に固定され脚部と連結するための取付部（５３０〜５３６）とを有するトレー（５００）を有し、
トレー本体は、底面部（５１２）と、底面部の周囲から立設した側面部（５１４〜５２０）とを有し、取付部には穴部が設けられ、取付部の穴部と脚部の穴部を合わせた状態で第３固定具により固定することにより、トレーが装置本体に取り付けられることを特徴とする請求項１又は２又は３又は４又は５又は６又は７又は８又は９又は１０又は１１に記載の水質浄化システム。
【請求項１３】
浄化材が竹炭であることを特徴とする請求項１又は２又は３又は４又は５又は６又は７又は８又は９又は１０又は１１又は１２に記載の水質浄化システム。
【請求項１４】
第１固定具と第２固定具と第３固定具が、ボルトと、ボルトに螺合するナットであることを特徴とする請求項１又は２又は３又は４又は５又は６又は７又は８又は９又は１０又は１１又は１２又は１３に記載の水質浄化システム。
【発明の詳細な説明】
【技術分野】
【０００１】
本発明は、水質浄化装置に関するものであり、特に、用水路や小河川の水質を浄化する装置に関するものである。
【背景技術】
【０００２】
従来より小河川の水質を浄化する装置として、特許文献１に記載の河川用簡易水質浄化装置が存在する。
【０００３】
特許文献１に記載の河川用簡易水質浄化装置は、金網もしくは格子あるいは穴明きプレートで構成した籠体の内部に、少なくともゼオライト層、部分カットマユ玉層及び木炭層よりなる浄化層本体を上下方向に順次設けてなるものであり、複数の水質浄化装置を川底の上に適当の間隔をあけて川幅方向及び川幅方向と直角方向に固定的に複数個敷設して、各籠体を繋ぎ部材で相互に連結することにより、前後左右いずれかの籠体間に魚道が設けられる。また、特許文献１の水質浄化装置の底部には、川底に固定するための先端がとがった固定脚が取り付けられている。
【先行技術文献】
【特許文献】
【０００４】
【特許文献１】特開平５−１９２６９３号公報
【発明の概要】
【発明が解決しようとする課題】
【０００５】
しかし、特許文献１に記載の水質浄化装置においては、複数の水質浄化装置の間に間隔が設けられて魚道が設けられるが、その間隔の長さを調整することができない。
【０００６】
すなわち、ゼオライト層、木炭層等の浄化材に水が均等に接触するようにしたり、水の流れが弱くなることによる水の濁りを防止するには、用水路や小河川等の水路の幅に応じて、浄化装置の両側（水流の方向に対して直角の方向における両側）や浄化装置同士の間に適度な長さの間隔を設けるのが好ましく、また、水流の速度が遅い場合には、間隔を小さくしてしまうと水質浄化装置により水の流れをより遅くしてしまい、水質を悪化させるおそれがあることから、水質浄化装置の間の間隔が調整できるようにする必要がある。
【０００７】
また、特許文献１に記載の水質浄化装置においては、固定脚が設けられているが、固定脚の長さを調整することができないので、水路の水の深さに応じて水質浄化装置の高さ方向の位置を調整することができない。つまり、水路においては、一般的に水面に近い方が水流の速度が速いが、浄化材の高さ方向の位置が水面に近い方が浄化材に付着した泥を水流により流すことができ、また、水面の高さが下降した際に、日光により浄化材を乾燥させることにより浄化材の効果を復元させることが期待できることから、浄化材の位置は、なるべく水面に近いのが好ましいので、その点で、浄化材の上下方向の位置を調整できるようにするのが好ましい。
【０００８】
そこで、本発明は、複数の水質浄化装置の間隔を調整できるとともに、水質浄化装置の高さ方向の位置も調整することができる水質浄化装置を提供することを目的とするものである。
【課題を解決するための手段】
【０００９】
本発明は上記問題点を解決するために創作されたものであって、第１には、水質浄化システムであって、水質浄化装置（５）と、水質浄化装置を連結するための連結部材（３００、４００）とを有し、水質浄化装置は、装置本体（７）と、装置本体に収納される浄化材収納部（２０１）と、浄化材収納部に収納された浄化材（２５０）とを有し、装置本体は、浄化材収納部を収納するための収納本体部（８）と、収納本体部に取り付けられた脚部（８０〜８６）とを有し、収納本体部は、板状を呈し、前後方向に横長で上下方向に設けられた右縦部（１２）と、右縦部と平行な板状を呈し、前後方向に横長の左縦部（２２）と、右縦部の上辺における一方の端部側である正面側の位置と左縦部の上辺における一方の端部側である正面側の位置の間に設けられた板状の第１上横部で、複数の連結部材取付け用穴部（Ｋ１１〜Ｋ１５）が左右方向に間隔を介して設けられた第１上横部（３２）と、右縦部の上辺における他方の端部側である背面側の位置と左縦部の上辺における他方の端部側である背面側の位置の間に設けられた板状の第２上横部で、複数の連結部材取付け用穴部（Ｋ１１〜Ｋ１５）が左右方向に間隔を介して設けられた第２上横部（５２）と、右縦部と左縦部の間に設けられ、収納本体部の底面側を構成する底面構成部で、浄化材収納部を支持するとともに、開口部及び／又は切欠部を有する底面構成部（７０、７２、１４、２４）と、を有し、収納本体部の正面側は、水が通過可能なように、第１上横部の下側の空間と連通し、収納本体部の背面側は、水が通過可能なように、第２上横部の下側の空間と連通し、第１上横部の下側の空間と第２上横部と下側の空間は、浄化材収納部を収納するための収納空間と連通し、右縦部と左縦部には、前後両側にそれぞれ複数の脚部取付け用穴部（Ｋ１、Ｋ２、Ｋ３、Ｋ４）が上下方向に間隔を介して設けられ、脚部には、右縦部と左縦部に取り付けるための３つ以上の縦部取付け用穴部（Ｋ２１〜Ｋ２５）が列状に間隔を介して設けられ、連結部材には、第１上横部と第２上横部に取り付けるための３つ以上の上横部取付け用穴部（Ｋ３１〜Ｋ３９、Ｋ４１〜Ｋ４５）が列状に間隔を介して設けられ、第１上横部と第２上横部において、複数の連結部材取付け用穴部における左右方向に隣接する連結部材取付け用穴部間の間隔と、連結部材において、複数の上横部取付け用穴部における隣接する上横部取付け用穴部間の間隔は、第１の間隔であり、右縦部と左縦部において、上下方向に設けられた複数の脚部取付け用穴部における上下方向に隣接する脚部取付け用穴部間の間隔と、脚部において、複数の縦部取付け用穴部にける隣接する縦部取付け用穴部間の間隔は、第２の間隔であり、脚部取付け用穴部と縦部取付け用穴部を合わせた状態で、第１固定具により脚部が右縦部に取り付けられるとともに脚部が左縦部に取り付けられ、脚部取付け用穴部と縦部取付け用穴部において合わせる穴部の組み合わせが複数設けられ（「脚部取付け用穴部と縦部取付け用穴部において合わせる穴部の組み合わせが複数設けられ、脚部の収納本体部の下端からの突出長さの選択肢が複数設けられ」としてもよい）、上横部取付け用穴部と連結部材取付け用穴部を合わせた状態で、第２固定具により連結部材が上横部取付け用穴部に取り付けられ、上横部取付け用穴部と連結部材取付け用穴部において合わせる穴部の組み合わせが複数設けられる（「上横部取付け用穴部と連結部材取付け用穴部において合わせる穴部の組み合わせが複数設けられ、連結部材により左右方向に連結される装置本体との間隔の選択肢が複数設けられる」としてもよい）ことを特徴とする。
【００１０】
第１の構成の水質浄化システムにおいては、水が通過可能なように、第１上横部の下側の空間と連通し、収納本体部の背面側は、水が通過可能なように、第２上横部の下側の空間と連通し、第１上横部の下側の空間と第２上横部と下側の空間は、浄化材収納部を収納するための収納空間と連通しているので、正面側から該収納空間に流入した水は浄化材により浄化されて、背面側から流出する。上横部取付け用穴部と連結部材取付け用穴部において合わせる穴部の組み合わせが複数設けられるので、連結部材により左右方向に連結される装置本体との間隔の選択肢が複数設けられ、複数の装置本体の間隔を調整することができ、また、脚部取付け用穴部と縦部取付け用穴部において合わせる穴部の組み合わせが複数設けられるので、脚部の収納本体部の下端からの突出長さの選択肢が複数設けられ、装置本体の高さ方向の位置を調整することができる。
【００１１】
また、第２には、第１上横部よりも下側の位置に（「右縦部と左縦部の間の、右縦部の下辺と左縦部の下辺の間の第１上横部よりも下側の位置に」としてもよい）第１上横部と対向して板状の第１下横部（４２）が設けられ、第１下横部には、複数の連結部材取付け用穴部（Ｋ１１〜Ｋ１５）が、第１上横部の連結部材取付け用穴部と対向した位置に設けられ、第２上横部よりも下側の位置に（「右縦部と左縦部の間の、右縦部の下辺と左縦部の下辺の間の第２上横部よりも下側の位置に」としてもよい）第２上横部と対向して板状の第２下横部（６２）が設けられ、第２下横部には、複数の連結部材取付け用穴部（Ｋ１１〜Ｋ１５）が、第２上横部の連結部材取付け用穴部と対向した位置に設けられ、収納本体部の正面側には、第１上横部と第１下横部間の空間と連通する第１開口部（４９）が設けられ、収納本体部の背面側には、第２上横部と第２下横部間の空間と連通する第２開口部（４９）が設けられ、第１上横部と第１下横部間の空間と第２上横部と第２下横部間の空間は、浄化材収納部を収納するための収納空間と連通していることを特徴とする。
【００１２】
第２の構成によれば、第１下横部や第２下横部に連結部材取付け用穴部を介して連結部材を取り付けることにより、下横部同士を連結することができ、左右方向に連結される水質浄化装置との連結強度を高くすることができる。
【００１３】
また、第３には、水質浄化システムであって、水質浄化装置（５）と、水質浄化装置を連結するための連結部材（３００、４００）とを有し、水質浄化装置は、装置本体（７）と、装置本体に収納される浄化材収納部（２０１）と、浄化材収納部に収納された浄化材（２５０）とを有し、装置本体は、浄化材収納部を収納するための収納本体部（８）と、収納本体部に取り付けられた脚部（８０〜８６）とを有し、収納本体部は、板状を呈し、前後方向に横長で上下方向に設けられた右縦部（１２）と、右縦部の下辺から左側面側に連設された板状の右横部（１４）とを有する右構成部（１０）と、右縦部と平行な板状を呈し、前後方向に横長の左縦部（２２）と、左縦部の下辺から右側面側に連設された板状の左横部（２４）とを有する左構成部（２０）と、右縦部の上辺における一方の端部側である正面側の位置と左縦部の上辺における一方の端部側である正面側の位置の間に設けられた板状の第１上横部で、複数の連結部材取付け用穴部（Ｋ１１〜Ｋ１５）が左右方向に間隔を介して設けられた第１上横部（３２）と、右横部と左横部の間に設けられ、第１上横部と対向する板状の第１下横部（４２）と、右縦部の上辺における他方の端部側である背面側の位置と左縦部の上辺における他方の端部側である背面側の位置の間に設けられた板状の第２上横部で、複数の連結部材取付け用穴部（Ｋ１１〜Ｋ１５）が左右方向に間隔を介して設けられた第２上横部（５２）と、右横部と左横部の間に設けられ、第２上横部と対向する板状の第２下横部（６２）と、右横部と左横部間に設けられた横架部で、浄化材収納部を支持するための横架部（７０、７２）と、を有し、収納本体部の正面側には、水が通過可能なように、第１上横部と第１下横部間の空間と連通する第１開口部（４９）が設けられ、収納本体部の背面側には、水が通過可能なように、第２上横部と第２下横部間の空間と連通する第２開口部（４９）が設けられ、第１上横部と第１下横部間の空間と第２上横部と第２下横部間の空間は、浄化材収納部を収納するための収納空間と連通し、右縦部と左縦部には、前後両側にそれぞれ複数の脚部取付け用穴部（Ｋ１、Ｋ２、Ｋ３、Ｋ４）が上下方向に間隔を介して設けられ、脚部には、右縦部と左縦部に取り付けるための３つ以上の縦部取付け用穴部（Ｋ２１〜Ｋ２５）が列状に間隔を介して設けられ、連結部材には、第１上横部と第２上横部に取り付けるための３つ以上の上横部取付け用穴部（Ｋ３１〜Ｋ３９、Ｋ４１〜Ｋ４５）が第２間隔を介して設けられ、第１上横部と第２上横部において、複数の連結部材取付け用穴部における左右方向に隣接する連結部材取付け用穴部間の間隔と、連結部材において、複数の上横部取付け用穴部における隣接する上横部取付け用穴部間の間隔は、第１の間隔であり、右縦部と左縦部において、上下方向に設けられた複数の脚部取付け用穴部における上下方向に隣接する脚部取付け用穴部間の間隔と、脚部において、複数の縦部取付け用穴部にける隣接する縦部取付け用穴部間の間隔は、第２の間隔であり、脚部取付け用穴部と縦部取付け用穴部を合わせた状態で、第１固定具により脚部が右縦部に取り付けられるとともに脚部が左縦部に取り付けられ、脚部取付け用穴部と縦部取付け用穴部において合わせる穴部の組み合わせが複数設けられ（「脚部取付け用穴部と縦部取付け用穴部において合わせる穴部の組み合わせが複数設けられ、脚部の収納本体部の下端からの突出長さの選択肢が複数設けられ」としてもよい）、上横部取付け用穴部と連結部材取付け用穴部を合わせた状態で、第２固定具により連結部材が上横部取付け用穴部に取り付けられ、上横部取付け用穴部と連結部材取付け用穴部において合わせる穴部の組み合わせが複数設けられる（「上横部取付け用穴部と連結部材取付け用穴部において合わせる穴部の組み合わせが複数設けられ、連結部材により左右方向に連結される装置本体との間隔の選択肢が複数設けられる」としてもよい）ことを特徴とする。
【００１４】
第３の構成の水質浄化システムにおいては、収納本体部の正面側と背面側は、浄化材収納部を収納するための収納空間と連通するように開口しているので、正面側から該収納空間に流入した水は浄化材により浄化されて、背面側から流出する。上横部取付け用穴部と連結部材取付け用穴部において合わせる穴部の組み合わせが複数設けられるので、連結部材により左右方向に連結される装置本体との間隔の選択肢が複数設けられ、複数の装置本体の間隔を調整することができ、また、脚部取付け用穴部と縦部取付け用穴部において合わせる穴部の組み合わせが複数設けられるので、脚部の収納本体部の下端からの突出長さの選択肢が複数設けられ、装置本体の高さ方向の位置を調整することができる。
【００１５】
また、第４には、第３の構成において、第１下横部には、複数の連結部材取付け用穴部（Ｋ１１〜Ｋ１５）が、第１上横部の連結部材取付け用穴部と対向した位置に設けられ、第２下横部には、複数の連結部材取付け用穴部（Ｋ１１〜Ｋ１５）が、第２上横部の連結部材取付け用穴部と対向した位置に設けられていることを特徴とする。
【００１６】
第４の構成によれば、第１下横部や第２下横部に連結部材取付け用穴部を介して連結部材を取り付けることにより、下横部同士を連結することができ、左右方向に連結される水質浄化装置との連結強度を高くすることができる。
【００１７】
また、第５には、上記第２から第４までのいずれかの構成において、第１上横部の正面側の端部から下方に連設された第１上縦部（３４）と、第１下横部の正面側の端部から上方に連設された第１下縦部（４４）と、第２上横部の背面側の端部から下方に連設された第２上縦部（５４）と、第２下横部の背面側の端部から上方に連設された第２下縦部（６４）とが設けられ、第１上縦部と第１下縦部の間に該第１開口部が設けられ、第２上縦部と第２下縦部の間に第２開口部が設けられていることを特徴とする。
【００１８】
第５の構成によれば、浄化材を収納した浄化材収納部が収納本体部の正面側や背面側から脱落するのを防止することができる。
【００１９】
また、第６には、上記第１から第５までのいずれかの構成において、脚部取付け用穴部において、正面側の脚部取付け用穴部は、脚部が右縦部の上辺や左縦部の上辺よりも突出して取り付けられた場合に第１上横部に取り付けられた連結部材と干渉しないように、第１上横部の連結部材取付け用穴部の前後方向の位置に対して正面側又は背面側にずれて形成され、また、背面側の脚部取付け用穴部は、脚部が右縦部の上辺や左縦部の上辺よりも突出して取り付けられた場合に第２上横部に取り付けられた連結部材と干渉しないように、第２上横部の連結部材取付け用穴部の前後方向の位置に対して正面側又は背面側にずれて形成されていることを特徴とする。
【００２０】
第６の構成によれば、脚部が右縦部の上辺や左縦部の上辺よりも突出して取り付けられた場合に第１上横部や第２上横部に取り付けられた連結部材と干渉しないように、脚部取付け用穴部は、第１上横部の連結部材取付け用穴部の前後方向の位置に対して正面側又は背面側にずれて形成されているので、脚部に多くの縦部取付け用穴部を設けることができ、装置本体の高さの調整をきめ細かく行なうことができる。
【００２１】
また、第７には、上記第１から第６までのいずれかの構成において、右縦部と左縦部には、水が通過可能なように、開口部が設けられていることを特徴とする。第７の構成によれば、収納本体部の右側面側と左側面側においても、水を流入・流出させることができる。
【００２２】
また、第８には、上記第１から第７までのいずれかの構成において、浄化材収納部は、袋状に形成された網材により形成されていることを特徴とする。
【００２３】
また、第９には、上記第１から第８までのいずれかの構成において、水質浄化装置が、浄化材を収納するための立体状の枠体である枠状部（１０５）を有し、枠状部は、浄化材を収納した状態で浄化材収納部に収納されていることを特徴とする。
【００２４】
第９の構成によれば、枠状部が設けられ、枠状部は、浄化材を収納した状態で浄化材収納部に収納されているので、浄化材収納部の形を保つことができ、浄化材収納部が収納本体部の底面から垂れ下がるのを防止することができる。
【００２５】
また、第１０には、上記第１から第９までのいずれかの構成において、浄化材収納部を収納本体部に固定するための固定手段（Ｋ５、Ｋ６、２１０ａ、２１０ｂ、２１２ａ、２１２ｂ、２１４ａ、２１４ｂ、２１６ａ、２１６ｂ）が設けられていることを特徴とする。
【００２６】
第１０の構成によれば、浄化材収納部を収納本体部に固定するための固定手段が設けられているので、浄化材が装置本体から脱落してしまうことがない。
【００２７】
また、第１１には、上記第１から第１０までのいずれかの構成において、第１間隔と第２間隔は同一の長さであることを特徴とする。第１１の構成によれば、第１の間隔と第２の間隔が同一であるので、脚部を連結部材として用いることができ、連結部材を脚部として用いることができる。
【００２８】
また、第１２には、上記第１から第１１までのいずれかの構成において、水質浄化装置は、トレー本体（５１０）と、トレー本体に固定され脚部と連結するための取付部（５３０〜５３６）とを有するトレー（５００）を有し、トレー本体は、底面部（５１２）と、底面部の周囲から立設した側面部（５１４〜５２０）とを有し、取付部には穴部が設けられ、取付部の穴部と脚部の穴部を合わせた状態で第３固定具により固定することにより、トレーが装置本体に取り付けられることを特徴とする。
【００２９】
第１２の構成によれば、トレーが設けられているので、トレー本体に土や泥を溜めることができ、装置本体を用いた水質浄化装置を定期的に用水路から引き上げ、トレー本体を洗浄して土や泥を除くことにより、用水路に土や泥が堆積するのを防止することができる。
【００３０】
また、第１３には、上記第１から第１２までのいずれかの構成において、浄化材が竹炭であることを特徴とする。
【００３１】
第１３の構成によれば、浄化材が竹炭であるので、脚部により収納本体部の高さを調整して、浄化材の高さ方向の位置を水面に近い位置とすることにより浄化材に付着した泥が流れやすくして浄化材としての竹炭を長持ちさせることができ、また、水面の高さが下降した際に浄化材としての竹炭に日光が当たりやすくして、竹炭の効果を復元しやすくすることができる。
【００３２】
また、第１４には、上記第１から第１３までのいずれかの構成において、第１固定具と第２固定具と第３固定具が、ボルトと、ボルトに螺合するナットであることを特徴とする。第１３の構成によれば、第１固定具と第２固定具と第３固定具が、ボルトと、ボルトに螺合するナットであるので、脚部と連結部材がそれぞれ着脱自在となり、脚部とトレーを着脱自在とすることができる。
【発明の効果】
【００３３】
本発明に基づく水質浄化システムによれば、上横部取付け用穴部と連結部材取付け用穴部において合わせる穴部の組み合わせが複数設けられるので、連結部材により左右方向に連結される装置本体との間隔の選択肢が複数設けられ、複数の装置本体の間隔を調整することができ、また、脚部取付け用穴部と縦部取付け用穴部において合わせる穴部の組み合わせが複数設けられるので、脚部の収納本体部の下端からの突出長さの選択肢が複数設けられ、装置本体の高さ方向の位置を調整することができる。
【図面の簡単な説明】
【００３４】
【図１】水質浄化装置の前方斜視図である。
【図２】水質浄化装置における装置本体の前方斜視図である。
【図３】水質浄化装置における装置本体の後方斜視図である。
【図４】装置本体におけるユニット収納部の前方斜視図である。
【図５】装置本体におけるユニット収納部の後方斜視図である。
【図６】上横板や下横板の構成を示す斜視図である。
【図７】脚部と連結部材の構成を示す平面図であり、（ａ）は脚部の平面図であり、（ｂ）と（ｃ）は連結部材の平面図である。
【図８】枠状部の斜視図である。
【図９】浄化材収納ユニットの組立て工程を示す斜視図である。
【図１０】浄化材収納ユニットの組立て工程を示す斜視図である。
【図１１】水質浄化システムの前方斜視図である。
【図１２】水質浄化システムの使用方法を示す説明図である。
【図１３】水質浄化システムの他の例を示す平面図である。
【図１４】水質浄化装置における装置本体の他の例を示す前方斜視図である。
【発明を実施するための形態】
【００３５】
本発明においては、複数の水質浄化装置の間隔を調整できるとともに、水質浄化装置の高さ方向の位置も調整することができる水質浄化装置を提供するという目的を以下のようにして実現した。
【実施例１】
【００３６】
本発明に基づく水質浄化装置５は、図１〜図１０に示されるように構成され、装置本体７と、装置本体７に収納される浄化材収納ユニット１００とを有している。
【００３７】
ここで、装置本体７は、ユニット収納部８と、ユニット収納部８に取り付けられた脚部８０、８２、８４、８６とを有している。
【００３８】
ここで、ユニット収納部（収納本体部）８は、右構成部１０と、右構成部１０の左側面側に間隔を介して設けられた左構成部２０と、右構成部１０の正面側で上側の角部に固定されるとともに、左構成部２０の正面側で上側の角部に固定された上前構成部３０と、右構成部１０の正面側で下側の角部に固定されるとともに、左構成部２０の正面側で下側の角部に固定された下前構成部４０と、右構成部１０の背面側で上側の角部に固定されるとともに、左構成部２０の背面側で上側の角部に固定された上後構成部５０と、右構成部１０の背面側で下側の角部に固定されるとともに、左構成部２０の背面側で下側の角部に固定された下後構成部６０と、右構成部１０と左構成部２０間に横架して左右方向に設けられた横架部７０、７２とを有している。
【００３９】
右構成部１０は、ユニット収納部８の右側面側を構成するものであり、前後方向に横長長方形状の板状を呈する右縦板（右縦部）１２と、右縦板１２の下辺から左側面側に連設された右横板（右横部）１４を有し、右構成部１０は、長方形状の板状部材を略Ｌ字状に屈曲した形状を呈している。右縦板１２の長辺は、前後方向に設けられ、右縦板１２の短辺は、上下方向に設けられている。右横板１４は、細長長方形状の板状を呈していて、右縦板１２に対して直角をなしている。右横板１４は、右縦板１２の下辺に沿って設けられ、右横板１４の前後方向の長さは、右縦板１２の前後方向の長さと同一に形成されている。右横板１４の長辺は、前後方向に設けられ、右横板１４の短辺は、左右方向に設けられている。
【００４０】
左構成部２０は、ユニット収納部８の左側面側を構成するものであり、前後方向に横長長方形状の板状を呈する左縦板（左縦部）２２と、左縦板２２の下辺から右側面側に連設された左横板（左横部）２４を有し、左構成部２０は、長方形状の板状部材を略Ｌ字状に屈曲した形状を呈している。左縦板２２の長辺は、前後方向に設けられ、左縦板２２の短辺は、上下方向に設けられている。左横板２４は、細長長方形状の板状を呈していて、左縦板２２に対して直角をなしている。左横板２４は、左縦板２２の下辺に沿って設けられ、左横板２４の前後方向の長さは、左縦板２２の前後方向の長さと同一に形成されている。左横板２４の長辺は、前後方向に設けられ、左横板２４の短辺は、左右方向に設けられている。
【００４１】
右構成部１０と左構成部２０は、後述する穴部の構成も含めて同一の構成の部材により形成されている。また、右構成部１０と左構成部２０は、それぞれ、後述する穴部の構成も含めて前後対称の形状に形成されている。
【００４２】
右構成部１０と左構成部２０は、左右対称に形成されていて、右縦板１２と左縦板２２は互いに平行に設けられ、右横板１４と左横板２４は、同一平面上に設けられている。右縦板１２と左縦板２２間の間隔（つまり、右縦板１２の内側の面と左縦板２２の内側の面の間隔）は、Ｎ１となっている。
【００４３】
上前構成部３０は、ユニット収納部８の正面側の上側を構成するものであり、左右方向に横長長方形状の板状を呈する上横板（第１上横部）３２と、上横板３２の正面側の辺部から下方に連設された上縦板（第１上縦部）３４を有し、上前構成部３０は、長方形状の板状部材を略Ｌ字状に折曲した形状を呈している。上横板３２の長辺は、左右方向に設けられ、上横板３２の短辺は、前後方向に設けられている。上縦板３４は、細長長方形状の板状を呈していて、上横板３２に対して直角をなしている。上縦板３４は、上横板３２の正面側の辺部に沿って設けられ、上縦板３４の左右方向の長さは、上横板３２の左右方向の長さと同一に形成されている。上縦板３４の長辺は、左右方向に設けられ、上縦板３４の短辺は、上下方向に設けられている。
【００４４】
上前構成部３０の左右方向の長さは、右縦板１２の右側面側の面と左縦板２２の左側面側の面間の長さと同一であり、上前構成部３０の右側面側の端部は、右縦板１２の右側面側の面と一致し、上前構成部３０の左側面側の端部は、左縦板２２の左側面側の面と一致している。上横板３２の右側面側の辺部は、右縦板１２の上辺に溶接等により固定され、上横板３２の左側面側の辺部は、左縦板２２の上辺に溶接等により固定され（つまり、上横板３２は、右縦板１２の上辺における正面側の端部位置と左縦板２２の上辺における正面側の端部位置の間に設けられている）、上縦板３４の右側面側の辺部は、右縦板１２の正面側の辺部に溶接等により固定され、上縦板３４の左側面側の辺部は、左縦板２２の正面側の辺部に溶接等により固定されている。
【００４５】
下前構成部４０は、ユニット収納部８の正面側の下側を構成するものであり、左右方向に横長長方形状の板状を呈する下横板（第１下横部）４２と、下横板４２の正面側の辺部から上方に連設された下縦板（第１下縦部）４４を有し、下前構成部４０は、長方形状の板状部材を略Ｌ字状に折曲した形状を呈している。下横板４２の長辺は、左右方向に設けられ、下横板４２の短辺は、前後方向に設けられている。下横板４２は、右横板１４と左横板２４の下面に接している。下縦板４４は、細長長方形状の板状を呈していて、下横板４２に対して直角をなしている。下縦板４４は、下横板４２の正面側の辺部に沿って設けられ、下縦板４４の左右方向の長さは、下横板４２の左右方向の長さと同一に形成されている。下縦板４４の長辺は、左右方向に設けられ、下縦板４４の短辺は、上下方向に設けられている。
【００４６】
下前構成部４０の左右方向の長さは、右縦板１２の右側面側の面と左縦板２２の左側面側の面間の長さと同一であり、下前構成部４０の右側面側の端部は、右縦板１２の右側面側の面と一致し、下前構成部４０の左側面側の端部は、左縦板２２の左側面側の面と一致している。下横板４２の右側面側の辺部は、右縦板１２の下辺及び右横板１４の左側面側の辺部に溶接等により固定され、下横板４２の左側面側の辺部は、左縦板２２の下辺及び左横板２４の右側面側の辺部に溶接等により固定され、下縦板４４の右側面側の辺部は、右縦板１２の正面側の辺部に溶接等により固定され、下縦板４４の左側面側の辺部は、左縦板２２の正面側の辺部に溶接等により固定されている。
【００４７】
上前構成部３０と下前構成部４０は、上下対称に形成されていて、上横板３２と下横板４２は互いに平行に設けられ、下横板４２は、上横板３２の下側の位置に上横板３２と対向して設けられ、上縦板３４と下縦板４４は同一平面上に設けられている。
【００４８】
上後構成部５０は、ユニット収納部８の背面側の上側を構成するものであり、左右方向に横長長方形状の板状を呈する上横板（第２上横部）５２と、上横板５２の背面側の辺部から下方に連設された上縦板（第２上縦部）５４を有し、上後構成部５０は、長方形状の板状部材を略Ｌ字状に折曲した形状を呈している。上横板５２の長辺は、左右方向に設けられ、上横板５２の短辺は、前後方向に設けられている。上縦板５４は、細長長方形状の板状を呈していて、上横板５２に対して直角をなしている。上縦板５４は、上横板５２の背面側の辺部に沿って設けられ、上縦板５４の左右方向の長さは、上横板５２の左右方向の長さと同一に形成されている。上縦板５４の長辺は、左右方向に設けられ、上縦板５４の短辺は、上下方向に設けられている。
【００４９】
上後構成部５０の左右方向の長さは、右縦板１２の右側面側の面と左縦板２２の左側面側の面間の長さと同一であり、上後構成部５０の右側面側の端部は、右縦板１２の右側面側の面と一致し、上後構成部５０の左側面側の端部は、左縦板２２の左側面側の面と一致している。上横板５２の右側面側の辺部は、右縦板１２の上辺に溶接等により固定され、上横板５２の左側面側の辺部は、左縦板２２の上辺に溶接等により固定され（つまり、上横板５２は、右縦板１２の上辺における背面側の端部位置と左縦板２２の上辺における背面側の端部位置の間に設けられている）、上縦板５４の右側面側の辺部は、右縦板１２の背面側の辺部に溶接等により固定され、上縦板５４の左側面側の辺部は、左縦板２２の背面側の辺部に溶接等により固定されている。
【００５０】
下後構成部６０は、ユニット収納部８の背面側の下側を構成するものであり、左右方向に横長長方形状の板状を呈する下横板（第２下横部）６２と、下横板６２の背面側の辺部から上方に連設された下縦板（第２下縦部）６４を有し、下後構成部６０は、長方形状の板状部材を略Ｌ字状に折曲した形状を呈している。下横板６２の長辺は、左右方向に設けられ、下横板６２の短辺は、前後方向に設けられている。下横板６２は、右横板１４と左横板２４の下面に接している。下縦板６４は、細長長方形状の板状を呈していて、下横板６２に対して直角をなしている。下縦板６４は、下横板６２の背面側の辺部に沿って設けられ、下縦板６４の左右方向の長さは、下横板６２の左右方向の長さと同一に形成されている。下縦板６４の長辺は、左右方向に設けられ、下縦板６４の短辺は、上下方向に設けられている。
【００５１】
下後構成部６０の左右方向の長さは、右縦板１２の右側面側の面と左縦板２２の左側面側の面間の長さと同一であり、下後構成部６０の右側面側の端部は、右縦板１２の右側面側の面と一致し、下後構成部６０の左側面側の端部は、左縦板２２の左側面側の面と一致している。下横板６２の右側面側の辺部は、右縦板１２の下辺及び右横板１４の左側面側の辺部に溶接等により固定され、下横板６２の左側面側の辺部は、左縦板２２の下辺及び左横板２４の右側面側の辺部に溶接等により固定され、下縦板６４の右側面側の辺部は、右縦板１２の背面側の辺部に溶接等により固定され、下縦板６４の左側面側の辺部は、左縦板２２の背面側の辺部に溶接等により固定されている。
【００５２】
上後構成部５０と下後構成部６０は、上下対称に形成されていて、上横板５２と下横板６２は互いに平行に設けられ、下横板６２は、上横板５２の下側の位置に上横板５２と対向して設けられ、上縦板５４と下縦板６４は同一平面上に設けられている。上前構成部３０と上後構成部５０は、前後対称に形成されていて、上横板３２と上横板５２は同一平面上に設けられ、上縦板３４と上縦板５４とは互いに平行に設けられている。下前構成部４０と下後構成部６０は、前後対称に形成されていて、下横板４２と下横板６２は同一平面上に設けられ、下縦板４４と下縦板６４とは互いに平行に設けられている。
【００５３】
また、上後構成部５０は、上前構成部３０と前後対称に形成され、下後構成部６０は、下前構成部４０と前後対称に形成されている。
【００５４】
また、上前構成部３０と下前構成部４０と上後構成部５０と下後構成部６０は、後述する穴部の構成を含めて同一の構成の部材により形成されている。また、上前構成部３０と下前構成部４０と上後構成部５０と下後構成部６０は、それぞれ、後述する穴部の構成も含めて左右対称の形状に形成されている。
【００５５】
なお、上前構成部３０の上縦板３４と下前構成部４０の下縦板４４間には、隙間が設けられ、該隙間の縦方向の間隔は、Ｎ２となっている。同様に、上後構成部５０の上縦板５４と下後構成部６０の下縦板６４間には、隙間が設けられ、該隙間の縦方向の間隔もＮ２となっている。すなわち、ユニット収納部８の正面側には、長さＮ２の間隔により、上横板３２と下横板４２間の空間と連通する開口部４９が設けられ、ユニット収納部８の背面側には、長さＮ２の間隔により、上横板５２と下横板６２間の空間と連通する開口部６９が設けられ、上横板３２と下横板４２間の空間と上横板５２と下横板６２間の空間は、浄化材収納ユニット１００を収納するための収納空間と連通している。なお、ユニット収納部８の正面側は、水が通過可能なように、上横部３２の下側の空間と連通し、ユニット収納部８の背面側は、水が通過可能なように、上横部５２の下側の空間と連通し、上横部３２の下側の空間と上横部５２と下側の空間は、浄化材収納ユニット１００を収納するための収納空間と連通しているといえる。
【００５６】
また、上縦板３４、５４と下縦板４４、６４が設けられているので、浄化材収納ユニット１００が正面側や背面側に脱落するのを防止することができる。つまり、仮に、取付け用紐部２１０ａ等による固定が外れてしまった場合でも、上縦板３４、５４と下縦板４４、６４が設けられているので、浄化材収納ユニット１００が正面側や背面側に脱落するのを防止することができる。
【００５７】
また、横架部７０は、横長長方形状の板状を呈し、横架部７０の長手方向の長さは、右横板１４の左端（内側の端部）と左横板２４の右端（内側の端部）間の長さよりも長く形成されていて、溶接等により右横板１４と左横板２４に固定されている。なお、横架部７０は左右方向に設けられ、横架部７０の長手辺は、下横板４２の背面側の辺部と平行になっている。横架部７０の前後方向の位置は、右構成部１０や左構成部２０の正面側の端部から右構成部１０や左構成部２０の前後方向の長さの略１／３の位置となっている。
【００５８】
また、横架部７２は、横架部７０と同一の構成であり、横長長方形状の板状を呈し、横架部７２の長手方向の長さは、右横板１４の左端（内側の端部）と左横板２４の右端（内側の端部）間の長さよりも長く形成されていて、溶接等により右横板１４と左横板２４に固定されている。なお、横架部７０は左右方向に設けられ、横架部７０の長手辺は、下横板４２の背面側の辺部と平行になっている。つまり、横架部７２は、横架部７０と平行に設けられている。横架部７２の前後方向の位置は、右構成部１０や左構成部２０の背面側の端部から右構成部１０や左構成部２０の前後方向の長さの略１／３の位置となっている。
【００５９】
なお、ユニット収納部８の底面側を構成する右横板１４と左横板２４と横架部７０、７２からなる底面構成部においては、横架部７０と横架部７２間に開口部が設けられ、横架部７０の正面側と横架部７２の背面側に切欠部が設けられているといえる。なお、横架部は、２つではなく３つ以上設けられていてもよく、その場合には、隣接する横架部間には開口部が設けられ、正面側の端部位置の横架部よりも正面側と背面側の端部位置の横架部よりも背面側には切欠部が設けられる。なお、横架部を１つとする場合も考えられ、該横架部の正面側と背面側には、切欠部が設けられる。横架部を１つとする場合には、横架部の前後方向の幅を浄化材収納ユニット１００を支持可能に幅広とするのが好ましい。
【００６０】
また、ユニット収納部８における右縦板１２、左縦板２２、上横板３２、５２、下横板４２、６２には、穴部が設けられている。右縦板１２と左縦板２２には、それぞれ穴部Ｋ１〜Ｋ６が設けられ、右縦板１２における穴部の構成と左縦板２２における穴部の構成は同一であるので、右縦板１２を例にとって説明すると、図４、図５に示すように、右縦板１２には、穴部Ｋ１〜Ｋ６が設けられている。穴部Ｋ１、Ｋ２、Ｋ５は、右縦板１２の正面側の端部領域に設けられ、穴部（脚部取付け用穴部）Ｋ１、Ｋ２は、上下方向に間隔を介して設けられ、穴部Ｋ５は、穴部Ｋ１と同じ高さ位置で穴部Ｋ１よりも背面側の位置に設けられている。穴部Ｋ１と穴部Ｋ２間の間隔としては、穴部Ｋ１の中心位置と穴部Ｋ２の中心位置間の長さがＬ１となっている。穴部Ｋ１、Ｋ２の前後方向の位置は、上横板３２や下横板４２の穴部Ｋ１１〜Ｋ１５（後述）の前後方向の位置よりも背面側に少なくとも連結部材３００の短手方向の幅Ｌ４０分だけずれて設けられ、穴部Ｋ１１〜Ｋ１５の前後方向の位置と穴部Ｋ１、Ｋ２の前後方向の位置の間の前後方向の長さＬ７は、脚部８０や連結部材３００の短手方向の長さＬ２６、Ｌ４０よりも長く形成されている（長さＬ２６とＬ４０は同一である）。これにより、脚部８０が右縦板１２の上辺よりも上方に突出して取り付けられた場合でも、脚部８０と上横板３２に上横板３２の右端から右側面側に突出して取り付けられた連結部材３００が干渉しあうことがない。また、穴部Ｋ１の上下方向の位置は、右縦板１２の上辺と穴部Ｋ１の中心間の長さＬ３が、長さＬ１の半分の長さとなる位置に設けられ、脚部８０を穴部Ｋ２１と穴部Ｋ１を合わせて取り付けた際に、脚部８０の上端が右縦部１２の上辺よりも上方に突出しない位置となっている。また、穴部Ｋ５の前後方向の位置は、穴部Ｋ１、Ｋ２に脚部８０を取り付けた際に、脚部８０により穴部Ｋ５が塞がれることはない位置に設けられている。
【００６１】
また、穴部Ｋ３、Ｋ４、Ｋ６は、右縦板１２の背面側の端部領域に設けられ、穴部（脚部取付け用穴部）Ｋ３、Ｋ４は、上下方向に間隔を介して設けられ、穴部Ｋ６は、穴部Ｋ３１と同じ高さ位置で穴部Ｋ３よりも正面側の位置に設けられている。穴部Ｋ３と穴部Ｋ４間の間隔としては、穴部Ｋ３の中心位置と穴部Ｋ４の中心位置間の長さがＬ２となっている。長さＬ２は、長さＬ１と同一となっている（Ｌ１＝Ｌ２）。穴部Ｋ３、Ｋ４の前後方向の位置は、上横板５２や下横板６２の穴部Ｋ１１〜Ｋ１５（後述）の前後方向の位置よりも背面側に少なくとも連結部材３００の短手方向の幅Ｌ４０分だけずれて設けられ、穴部Ｋ１１〜Ｋ１５の前後方向の位置と穴部Ｋ３、Ｋ４の前後方向の位置の間の前後方向の長さＬ８は、脚部８２や連結部材３００の短手方向の長さＬ２６、Ｌ４０よりも長く形成されている。これにより、脚部８２が右縦板１２の上辺よりも上方に突出して取り付けられた場合でも、脚部８２と上横板５２に上横板５２の右端から右側面側に突出して取り付けられた連結部材３００が干渉しあうことがない。また、穴部Ｋ３の上下方向の位置は、右縦板１２の上辺と穴部Ｋ３の中心間の長さＬ４が、長さＬ１の半分の長さとなる位置に設けられ、脚部８２を取り付けた際に、脚部８２の上端が右縦部１２の上辺よりも上方に突出しない位置となっている。また、穴部Ｋ６の前後方向の位置は、穴部Ｋ３、Ｋ４に脚部８２を取り付けた際に、脚部８２により穴部Ｋ６が塞がれることはない位置に設けられている。穴部Ｋ１と穴部Ｋ３、穴部Ｋ２と穴部Ｋ４、穴部Ｋ５と穴部Ｋ６は、互いに前後対称の位置に設けられている。
【００６２】
なお、図４、図５に示すように、左縦板２２には、穴部Ｋ１〜Ｋ６が設けられており、穴部Ｋ１〜Ｋ６は、右縦板１２における穴部Ｋ１〜Ｋ６と同じ位置に設けられている。つまり、左縦板２２の穴部Ｋ１は、右縦板１２の穴部Ｋ３と左右対称の位置に設けられ、左縦板２２の穴部Ｋ２は、右縦板１２の穴部Ｋ４と左右対称の位置に設けられ、左縦板２２の穴部Ｋ３は、右縦板１２の穴部Ｋ１と左右対称の位置に設けられ、左縦板２２の穴部Ｋ４は、右縦板１２の穴部Ｋ２と左右対称の位置に設けられ、左縦板２２の穴部Ｋ５は、右縦板１２の穴部Ｋ６と左右対称の位置に設けられ、左縦板２２の穴部Ｋ６は、右縦板１２の穴部Ｋ５と左右対称の位置に設けられている。また、穴部Ｋ１〜Ｋ６は、いずれも円形であり、穴部Ｋ１〜Ｋ６の直径は、いずれも同一となっている。
【００６３】
なお、左縦板２２において、穴部Ｋ１、Ｋ２の前後方向の位置は、上横板５２や下横板６２の穴部Ｋ１１〜Ｋ１５（後述）の前後方向の位置よりも正面側に少なくとも連結部材３００の短手方向の幅Ｌ４０分だけずれて設けられ、脚部８４が左縦板２２の上辺よりも上方に突出して取り付けられた場合でも、脚部８４と上横板５２に上横板５２の左端から左側面側に突出して取り付けられた連結部材３００が干渉しあうことがない。
【００６４】
また、左縦板２２において、穴部Ｋ３、Ｋ４の前後方向の位置は、上横板３２や下横板４２の穴部Ｋ１１〜Ｋ１５（後述）の前後方向の位置よりも背面側に少なくとも連結部材３００の短手方向の幅Ｌ４０分だけずれて設けられ、脚部８６が左縦板２２の上辺よりも上方に突出して取り付けられた場合でも、脚部８６と上横板３２に上横板３２の左端から左側面側に突出して取り付けられた連結部材３００が干渉しあうことがない。
【００６５】
また、上横板３２と下横板４２と上横板５２と下横板６２には、それぞれ穴部（連結部材取付け用穴部）Ｋ１１〜Ｋ１５が設けられていて、上横板３２における穴部の構成と下横板４２における穴部の構成と上横板５２における穴部の構成と下横板６２における穴部の構成は同一であるので、上横板３２を例にとって説明すると、図４、図５、図６に示すように、上横板３２には、穴部Ｋ１１〜Ｋ１５が設けられていて、穴部Ｋ１１〜Ｋ１５は、それぞれ左右方向に間隔を介して左右方向に一列に配置され、隣接する穴部間の長さ（２つの穴部の中心間の長さ）は同一に形成されている。つまり、穴部Ｋ１１と穴部Ｋ１２間の長さ（穴部Ｋ１１の中心と穴部Ｋ１２の中心の間の長さ）Ｌ１１と、穴部Ｋ１２と穴部Ｋ１３間の長さ（穴部Ｋ１２の中心と穴部Ｋ１３の中心の間の長さ）Ｌ１２と、穴部Ｋ１３と穴部Ｋ１４間の長さ（穴部Ｋ１３の中心と穴部Ｋ１４の中心の間の長さ）Ｌ１３と、穴部Ｋ１４と穴部Ｋ１５間の長さ（穴部Ｋ１４の中心と穴部Ｋ１５の中心の間の長さ）Ｌ１４は同一となっている（Ｌ１１＝Ｌ１２＝Ｌ１３＝Ｌ１４）。また、上横板３２における穴部Ｋ１１〜Ｋ１５における隣接する穴部間の長さは、長さＬ１、Ｌ２と同一となっている（Ｌ１＝Ｌ２＝Ｌ１１）。また、穴部Ｋ１１〜Ｋ１５は、いずれも円形であり、穴部Ｋ１１〜Ｋ１５の直径は、いずれも同一となっており、また、穴部Ｋ１〜Ｋ６の直径と同一となっている。
【００６６】
また、上横板３２の左右方向の端部と該端部に最も近い穴部（厳密には穴部の中心）間の長さは、長さＬ１１と同一となっている。つまり、上横板３２の左側面側の端部と穴部Ｋ１１の中心間の長さＬ１５と、上横板３２の右側面側の端部と穴部Ｋ１５の中心間の長さＬ１６は、同一の長さであり、長さＬ１１と同一となっている（Ｌ１５＝Ｌ１６＝Ｌ１１）。
【００６７】
また、上横板３２、５２と下横板４２、６２の前後方向の長さＬ１７は、長さＬ１１と同一に形成され、穴部Ｋ１１〜Ｋ１５は、上横板３２、５２及び下横板４２、６２において前後方向における中間位置に設けられ、穴部Ｋ１１〜Ｋ１５から上横板３２、５２及び下横板４２、６２の一方の長手辺までの長さと他方の長手辺までの長さは同一に形成されている。
【００６８】
上横板３２の穴部Ｋ１１〜Ｋ１５は、下横板４２の穴部Ｋ１１〜Ｋ１５と対向した位置にあり、すなわち、穴部Ｋ１１の真下に穴部Ｋ１５があり、穴部Ｋ１２の真下に穴部Ｋ１４があり、穴部Ｋ１３の真下に穴部Ｋ１３があり、穴部Ｋ１４の真下に穴部Ｋ１２があり、穴部Ｋ１５の真下に穴部Ｋ１１がある。また、上横板５２の穴部Ｋ１１〜Ｋ１５は、下横板６２の穴部Ｋ１１〜Ｋ１５と対向した位置にあり、すなわち、穴部Ｋ１１の真下に穴部Ｋ１５があり、穴部Ｋ１２の真下に穴部Ｋ１４があり、穴部Ｋ１３の真下に穴部Ｋ１３があり、穴部Ｋ１４の真下に穴部Ｋ１２があり、穴部Ｋ１５の真下に穴部Ｋ１１がある。
【００６９】
次に、脚部８０は、右構成部１０の右縦板１２の正面側の端部領域に取り付けられ、脚部８２は、右構成部１０の右縦板１２の背面側の端部領域に取り付けられ、脚部８４は、左構成部２０の左縦板２２の背面側の端部領域に取り付けられ、脚部８６は、左構成部２０の左縦板２２の正面側の端部領域に取り付けられている。
【００７０】
脚部８０〜８６は同一の構成であるので、脚部８０を例にとって説明すると、脚部８０は、帯板状を呈し、平面視における長手方向の辺部は、互いに平行な直線状を呈し、短手方向の辺部は、半円状を呈している。また、脚部８０には、長手方向の辺部に沿って、穴部（縦部取付け用穴部）Ｋ２１〜Ｋ２５が一列に設けられ、隣接する穴部間の長さ（２つの穴部の中心間の長さ）は同一に形成されている。つまり、穴部Ｋ２１と穴部Ｋ２２間の長さ（穴部Ｋ２１の中心と穴部Ｋ２２の中心の間の長さ）Ｌ２１と、穴部Ｋ２２と穴部Ｋ２３間の長さ（穴部Ｋ２２の中心と穴部Ｋ２３の中心の間の長さ）Ｌ２２と、穴部Ｋ２３と穴部Ｋ２４間の長さ（穴部Ｋ２３の中心と穴部Ｋ２４の中心の間の長さ）Ｌ２３と、穴部Ｋ２４と穴部Ｋ２５間の長さ（穴部Ｋ２４の中心と穴部Ｋ２５の中心の間の長さ）Ｌ２４は同一となっている（Ｌ２１＝Ｌ２２＝Ｌ２３＝Ｌ２４）。また、穴部Ｋ２１〜Ｋ２５における隣接する穴部間の長さは、穴部Ｋ１１〜Ｋ１５における隣接する穴部間の長さ（つまり、長さＬ１１、Ｌ１２、Ｌ１３、Ｌ１４）や長さＬ１、Ｌ２と同一となっている（Ｌ２１＝Ｌ１＝Ｌ１１）。また、穴部Ｋ２１〜Ｋ２５は、いずれも円形であり、穴部Ｋ２１〜Ｋ２５の直径は、いずれも同一となっており、また、穴部Ｋ１、Ｋ２の直径と同一（略同一としてもよい）となっている。
【００７１】
また、脚部８０の長手方向の端部と該端部に最も近い穴部（厳密には穴部の中心）間の長さは、長さＬ２１の半分の長さとなっている。つまり、脚部８０の長手方向における一方の端部と穴部Ｋ２１の中心間の長さＬ２５−１と、他方の端部と穴部Ｋ２５の中心間の長さＬ２５−２は、同一の長さであり、長さＬ２１の半分となっている（Ｌ２５−１＝Ｌ２５−２＝Ｌ２１／２）。これにより、長さＬ２５−１と長さＬ２５−２は、長さＬ３と同一となり、図２のように、脚部８０を右構成部１０に取り付けた際には、脚部８０の上端と右縦板１２の上辺とは、高さ方向において一致し、脚部８０が上横板３２の上面から突出することがないので、２つの水質浄化装置５を図１１に示すように連結部材３００で連結した際に、連結部材３００が脚部８０に接触することがなく脚部８０が邪魔になることがない。なお、脚部８０は、長手方向の中心線（つまり、各穴部の中心を通る仮想線）を介して線対称であるとともに、短手方向の中心線（長手方向の中心線と直角で穴部Ｋ２３の中心を通る仮想線）を介して線対称に形成されている。
【００７２】
また、脚部８０の長手方向の長さＬ２０は、右縦板１２の高さ方向の長さＮ３よりも長く形成され、これにより、脚部８０を右縦板１２に取り付けた場合には、脚部８０の取付け位置により、脚部８０が右縦板１２の下端よりも下方に突出するようにする。よって、脚部８０〜８６をユニット収納部８に取り付けた際に、装置本体７の設置面（脚部８０〜８６の下端が接する面）とユニット収納部８の下端の間には隙間が形成されるようにできる。
【００７３】
なお、脚部８０〜８６をユニット収納部８に取り付けるには、ユニット収納部８２における穴部Ｋ１、Ｋ２と脚部８０、８４の２つの穴部（一列に配設された穴部のうち、１つの穴部と該穴部に隣接する穴部）とを合わせた状態でボルトＢＴとナットＮＴにより取り付けるとともに、穴部Ｋ３、Ｋ４と脚部８２、８６の２つの穴部（一列に配設された穴部のうち、１つの穴部と該穴部に隣接する穴部）とを合わせた状態でボルトＢＴとナットＮＴにより取り付ける。脚部８０〜８６を固定するためのボルトＢＴとナットＮＴは、第１固定具に当たる。
【００７４】
脚部８０〜８６における各脚部の取付け方法は同じであるので、脚部８０を例にとって説明すると、脚部８０の２つの穴部（例えば、長手方向における端部位置の穴部（穴部Ｋ２１又は穴部Ｋ２５）と該穴部に隣接する穴部）と穴部Ｋ１、Ｋ２の位置を合わせて脚部８０を右縦板１２の外側の面に接して配置し、穴部Ｋ２１と穴部Ｋ１を合わせるとともに穴部Ｋ２２を穴部Ｋ２に合わせた場合には、穴部Ｋ２１、Ｋ１にボルトＢＴを挿通してナットＮＴをボルトＢＴに締め付けるとともに、穴部Ｋ２２、Ｋ２にボルトＢＴを挿通してナットＮＴをボルトＢＴに締め付け、穴部Ｋ２５と穴部Ｋ１を合わせるとともに穴部Ｋ２４を穴部Ｋ２に合わせた場合には、穴部Ｋ２５、Ｋ１にボルトＢＴを挿通してナットＮＴをボルトＢＴに締め付けるとともに、穴部Ｋ２４、Ｋ２にボルトＢＴを挿通してナットＮＴをボルトＢＴに締め付ける。なお、脚部８０において、穴部Ｋ１、Ｋ２に合わせる穴部の組み合わせは複数設けられ、２つの穴部を選択することにより、ユニット収納部８の下方に突出する長さを調整できる。つまり、穴部Ｋ２１側を上側とし穴部Ｋ２５側を下側とした場合に、穴部Ｋ１に穴部Ｋ２１を合わせ、穴部Ｋ２に穴部Ｋ２２を合わせた場合に、下方への突出長さが最も長くなり、穴部Ｋ１に穴部Ｋ２３を合わせ、穴部Ｋ２に穴部Ｋ２４を合わせた場合に、下方に突出する長さが最も短くなり、穴部Ｋ１に穴部Ｋ２２を合わせ、穴部Ｋ２に穴部Ｋ２３を合わせた場合に、中間の長さとなる（なお、穴部Ｋ１に穴部Ｋ２４を合わせた場合には、下方に突出しなくなる）。
【００７５】
また、穴部Ｋ５は、穴部Ｋ１の内側（背面側）に設けられ、穴部Ｋ６は、穴部Ｋ３の内側（正面側）に設けられている。
【００７６】
なお、ユニット収納部８を構成する各部や脚部８０〜８６は、金属製であり、具体的にはアルミニウムにより形成されている。
【００７７】
次に、浄化材収納ユニット１００は、枠状部１０５と、枠状部１０５内に収納された浄化材２５０と、枠状部１０５及び浄化材２５０を収納するための収納部２００とを有している。
【００７８】
ここで、枠状部１０５は、立体状の枠体であり、具体的には、四角柱状の部材を枠状に形成したものであり、下枠部１１０と、下枠部１１０の角部から立設した縦材部１２０〜１２６と、縦材部１２０〜１２６の上端に設けられた上枠部１３０とを有している。なお、枠状部１０５は、金属製であり、具体的にはステンレスにより形成されている。
【００７９】
下枠部１１０は、下枠部本体１１２と連結材部１１３〜１１７とを有し、下枠部本体１１２は、長方形状の枠状を呈し、下枠前部１１２ａと、下枠前部１１２ａの一方の端部から連設され下枠前部１１２ａに対して直角に設けられた下枠右部１１２ｂと、下枠前部１１２ａの他方の端部から連設され下枠前部１１２ａに対して直角に設けられた下枠左部１１２ｃと、下枠右部１１２ｂと下枠左部１１２ｃの下枠前部１１２ａとは反対側の端部から連設され、下枠右部１１２ｂ及び下枠左部１１２ｃと直角の下枠後部１１２ｄとを有している。
【００８０】
連結材部１１３、１１４は、下枠前部１１２ａ及び下枠後部１１２ｄと平行に設けられ、連結材部１１３、１１４の右側の端部は下枠右部１１２ｂに連設され、連結材部１１３、１１４の左側の端部は下枠左部１１２ｃに連設されている。連結材部１１３は、連結材部１１４よりも正面側に設けられ、下枠前部１１２ａと連結材部１１３間の長さＬ１１０ａと、連結材部１１３と連結材部１１４間の長さＬ１１０ｂと、連結材部１１４と下枠後部１１２ｄ間の長さＬ１１０ｃは、略同一に形成されている。
【００８１】
また、連結材部１１５は、下枠右部１１２ｂと平行に下枠前部１１２ａと連結剤部１１３間に設けられ、連結剤部１１６は、下枠右部１１２ｂと平行に連結材部１１３と連結材部１１４間に設けられ、連結材部１１７は、下枠右部１１２ｂと平行に連結材部１１４と下枠後部１１２ｄ間に設けられ、連結材部１１５と連結材部１１６と連結材部１１７は、一直線上に形成されている。なお、連結材部１１５〜１１７の左右方向における位置は、下枠右部１１２ｂと下枠左部１１２ｃとから等距離の位置となっている。
【００８２】
また、縦材部１２０は、下枠前部１１２ａと下枠右部１１２ｂ間の角部から下枠前部１１２ａ及び下枠右部１１２ｂと直角に立設し、縦材部１２２は、下枠前部１１２ａと下枠左部１１２ｃ間の角部から下枠前部１１２ａ及び下枠左部１１２ｃと直角に立設し、縦材部１２４は、下枠後部１１２ｄと下枠右部１１２ｂ間の角部から下枠後部１１２ｄ及び下枠右部１１２ｂ立設し、縦材部１２６は、下枠後部１１２ｄと下枠左部１１２ｃ間の角部から下枠後部１１２ｄ及び下枠左部１１２ｃ立設していて、縦材部１２０〜１２６は、同じ長さに形成されている。
【００８３】
また、上枠部１３０は、四角枠状に形成され、上枠前部１３０ａの一方の端部から連設され上枠前部１３０ａに対して直角に設けられた上枠右部１３０ｂと、上枠前部１３０ａの他方の端部から連設され上枠前部１３０ａに対して直角に設けられた上枠左部１３０ｃと、上枠右部１３０ｂと上枠左部１３０ｃの上枠前部１３０ａとは反対側の端部から連設され、上枠右部１３０ｂ及び上枠左部１３０ｃと直角の上枠後部１３０ｄとを有している。すなわち、上枠部１３０は、下枠部１１０から連結部材１１４、１１６を省略した構成と同一の構成となっている。
【００８４】
なお、枠状部１０５の左右方向の長さ（平面視における短手方向の長さ）Ｌ１０５は、間隔Ｎ１（右縦板１２と左縦板２２間の間隔）よりも短く形成され（Ｌ１０５＜Ｎ１）、枠状部１０５の前後方向の長さ（平面視における長手方向の長さ）Ｌ１０６は、上横板３２と上横板５２間の間隔Ｎ５（上横板３２の背面側の端部と上横板５２の正面側の端部間の長さ）よりも短く形成され（Ｌ１０６＜Ｎ５）、これにより、枠状部１０５は、ユニット収納部８内に収納できるようになっていて、また、枠状部１０５の上下方向の長さＬ１０７は、横架板７０の上面の高さ位置と左縦板２２の上辺の高さ位置の間の上下方向の長さＮ４よりも短く形成され（Ｌ１０７＜Ｎ４）、これにより、枠状部１０５をユニット収納部８内に収納した際に、枠状部１０５が右縦板１２や左縦板２２の上辺から上方に突出しないようになっている。
【００８５】
なお、枠状部１０５は実際には網状部２０１に収納した状態でユニット収納部８に収納するので、枠状部１０５を網状部２０１に収納した状態でユニット収納部８に収納できるように、長さＬ１０５、Ｌ１０６、Ｌ１０７は、網状部２０１の厚みを考慮して設定されている。つまり、網状部２０１においては、網状部本体２０２の領域よりも帯状部２０４や帯状部２０６の箇所の厚みが厚く、網状部２０１の厚みとしては、帯状部２０４や帯状部２０６の箇所の厚みが最も厚いといえ、枠状部１０５を網状部２０１に収納した状態では、左右・前後・上下に該厚みの２つ分大きくなると想定して、帯状部２０４や帯状部２０６の厚みを長さＬ２０４とすると、長さＬ２０４の２つ分と長さＬ１０５を加算した値が、間隔Ｎ１よりも小さく形成され（Ｌ２０４×２＋Ｌ１０５＜Ｎ１）、また、長さＬ２０４の２つ分と長さＬ１０６を加算した値が、間隔Ｎ５よりも小さく形成され（Ｌ２０４×２＋Ｌ１０６＜Ｎ５）となっている。これにより、浄化材収納ユニット１００を網状部２０１に収納した状態で、ユニット収納部８内に収納できるようになっている。なお、帯状部２０４、２０６の厚みは、網状部２０１自体の厚みよりも厚くなっている。
【００８６】
また、長さＬ２０４の２つ分と長さＬ１０７を加算した値が、間隔Ｎ４よりも小さく形成され（Ｌ２０４×２＋Ｌ１０７＜Ｎ４）となっていて、これにより、浄化材収納ユニット１００をユニット収納部８内に収納した際に、浄化材収納ユニット１００が右縦板１２や左縦板２２の上辺から上方に突出しないようになっている。
【００８７】
また、浄化材２５０は、水質を浄化する機能を有する部材であり、具体的には、竹炭（竹を炭化させたもの）である。竹炭は、多孔質材であり、竹炭が有する吸着機能により水質が浄化される。竹炭は、竹を切る、切った竹を割る、節を取る、加熱して炭化させる等の工程を経て製造される。
【００８８】
また、収納部２００は、枠状部１０５を収納することができる袋状の網材からなるものであり、網状部（浄化材収納部）２０１と、網状部２０１に周状に設けられた帯状部２０４、２０６と、網状部２０１の先端に設けられた紐挿通部２０８と、取付け用紐部２１０ａ、２１０ｂ、２１２ａ、２１２ｂ、２１４ａ、２１４ｂ、２１６ａ、２１６ｂと、紐挿通部２０８に挿通され、網状部２０１の先端開口部２０９（紐挿通部２０８により囲まれた開口部）を閉じるための閉じ用紐部２２０ａ、２２０ｂとを有している。
【００８９】
ここで、網状部２０１は、袋状に形成された網材であり、略長方形状の底面部２０１−１と、底面部２０１−１の周囲から帯状部２０４を介して連設された筒状部２０１−２とを有している。底面部２０１−１と筒状部２０１−２は、網状の部材により形成されている。筒状部２０１−２は、筒状部２０１−２を前後方向に伸ばした状態では、枠状部１０５の前後方向の長さＬ１０６よりも長く形成され、筒状部２０１−２は、前後方向には、枠状部１０５をその正面側から網状部２０１に収納した状態で、枠状部１０５の背面側の端部を閉じることができる長さに形成されている。
【００９０】
帯状部２０４は、底面部２０１−１の周囲にループ状に形成されている。つまり、帯状部２０４には、底面部２０１−１の周囲の端部が縫い付けられ、また、筒状部２０１−２の端部が縫い付けられている。また、筒状部２０１−２の先端側には、ループ状の帯状部２０６が設けられ、この帯状部２０６は、帯状部２０４と平行に設けられている。帯状部２０６の形成位置は、枠状部１０５をその正面側から収納部２００に収納して、枠状部１０５の正面側の端部（つまり、下枠前部１１２ａと縦材部１２０、１２２と上枠前部１３０ａ）が帯状部２０４の位置にある場合に、帯状部２０６が、枠状部１０５の背面側の端部（つまり、下枠後部１１２ｄと縦材部１２４、１２６と上枠後部１３０ｄ）の位置となる位置となっている。つまり、網状部２０１を伸ばした状態では、帯状部２０４と帯状部２０６間の長さは、枠状部１０５における長さＬ１０６と略同一となっている。なお、帯状部２０６は、筒状部２０１−２に縫い付けられている。帯状部２０４、２０６は、例えば、帯状の布材により形成されている。
【００９１】
また、紐挿通部２０８は、閉じ用紐部２２０ａ、２２０ｂを挿通することができるように、帯状部材（例えば、帯状の布材）が細長筒状に形成されたものであり、紐挿通部２０８の左右両側には、挿通された閉じ用紐部２２０ａ、２２０ｂを外部に導くための穴部が設けられ、紐挿通部２０８の右側面側には、閉じ用紐部２２０ａを外部に導くための穴部と閉じ用紐部２２０ｂを外部に導くための穴部が設けられ、紐挿通部２０８の左側面側には、閉じ用紐部２２０ａを外部に導くための穴部と閉じ用紐部２２０ｂを外部に導くための穴部が設けられている。また、紐挿通部２０８には、網状部２０１の先端が縫い付けて固定されている。
【００９２】
また、取付け用紐部２１０ａ、２１０ｂは、帯状部２０４の右側面側部分の上端領域に固定して設けられ、取付け用紐部２１２ａ、２１２ｂは、帯状部２０４の左側面側部分の上端領域に固定して設けられ、取付け用紐部２１４ａ、２１４ｂは、帯状部２０６の右側面側部分の上端領域に固定して設けられ、取付け用紐部２１６ａ、２１６ｂは、帯状部２０６の左側面側部分の上端領域に固定して設けられている。取付け用紐部２１０ａ、２１０ｂ、２１２ａ、２１２ｂ、２１４ａ、２１４ｂ、２１６ａ、２１６ｂは、収納部２００をユニット収納部８に取り付けるためのものである。取付け用紐部２１０ａと取付け用紐部２１０ｂとで取付け用紐部群２１０が構成され、取付け用紐部２１２ａと取付け用紐部２１２ｂとで取付け用紐部群２１２が構成され、取付け用紐部２１４ａと取付け用紐部２１４ｂとで取付け用紐部群２１４が構成され、取付け用紐部２１６ａと取付け用紐部２１６ｂとで取付け用紐部群２１６が構成される。取付け用紐部２１０ａ、２１０ｂ、２１２ａ、２１２ｂ、２１４ａ、２１４ｂ、２１６ａ、２１６ｂは、「浄化材収納部を収納本体部に固定するための固定手段」となる。
【００９３】
また、閉じ用紐部２２０ａ、２２０ｂは、紐挿通部２０８に挿通され、閉じ用紐部２２０ａは、紐挿通部２０８の右側面側の穴部から挿入されて、上方に導かれ、紐挿通部２０８の上面側を通って、紐挿通部２０８の左上側の角部で下方に導かれて、紐挿通部２０８の左側面側の穴部から露出し、また、閉じ用紐部２２０ｂは、紐挿通部２０８の左側面側の穴部から挿入されて、下方に導かれ、紐挿通部２０８の底面側（下面側）を通って、紐挿通部２０８の左下側の角部で上方に導かれて、紐挿通部２０８の左側面側の穴部から露出している。閉じ用紐部２２０ａの一方の端部と閉じ用紐部２２０ｂの一方の端部は、結んだ状態で連結され、閉じ用紐部２２０ａの他方の端部と閉じ用紐部２２０ｂの他方の端部は、結んだ状態で連結されて、閉じ用紐部２２０ａと閉じ用紐部２２０ｂは、１つのループ状に形成されている。このように、収納部２００の先端側は、巾着の開口部のように形成されているので、閉じ用紐部２２０ａ、２２０ｂの露出部分を両側にひっぱることにより、収納部２００の先端開口部２０９の大きさが小さくなり閉じた状態とすることができる。
【００９４】
なお、帯状部２０６を介して正面側が収納部本体２０２となり、背面側が収納部先端部２０３となる。図１０は、収納部本体２０２における網状部２０１を前後方向に縮めた状態を示しており、枠状部１０５を収納部２００に収納して、閉じ用紐部２２０ａ、２２０ｂを引っ張って収納部先端部２０３の先端開口部２０９を閉じた状態では、収納部本体２０２における網状部２０１は、図１１に示すように図１０の状態から広がった状態となる。
【００９５】
複数の水質浄化装置５は、連結部材３００や連結部材４００を用いて連結することができ、連結部材３００は、図７（ｂ）に示すように構成され、脚部８０と略同様の構成であるが、脚部８０の構成に対して、脚部８０の長手方向の長さを長くするとともに、穴部の数を増やした構成となっている。
【００９６】
すなわち、連結部材３００は、帯板状を呈し、平面視における長手方向の辺部は、互いに平行な直線状を呈し、短手方向の辺部は、半円状を呈している。また、連結部材３００には、長手方向の辺部に沿って、穴部（上横部取付け用穴部）Ｋ３１〜Ｋ３９が一列に設けられ、隣接する穴部間の長さ（２つの穴部の中心間の長さ）は同一に形成されている。つまり、穴部Ｋ３１と穴部Ｋ３２間の長さ（穴部Ｋ３１の中心と穴部Ｋ３２の中心の間の長さ）Ｌ３１と、穴部Ｋ３２と穴部Ｋ３３間の長さ（穴部Ｋ３２の中心と穴部Ｋ３３の中心の間の長さ）Ｌ３２と、穴部Ｋ３３と穴部Ｋ３４間の長さ（穴部Ｋ３３の中心と穴部Ｋ３４の中心の間の長さ）Ｌ３３と、穴部Ｋ３４と穴部Ｋ３５間の長さ（穴部Ｋ３４の中心と穴部Ｋ３５の中心の間の長さ）Ｌ３４と、穴部Ｋ３５と穴部Ｋ３６間の長さ（穴部Ｋ３５の中心と穴部Ｋ３６の中心の間の長さ）Ｌ３５と、穴部Ｋ３６と穴部Ｋ３７間の長さ（穴部Ｋ３６の中心と穴部Ｋ３７の中心の間の長さ）Ｌ３６と、穴部Ｋ３７と穴部Ｋ３８間の長さ（穴部Ｋ３７の中心と穴部Ｋ３８の中心の間の長さ）Ｌ３７と、穴部Ｋ３８と穴部Ｋ３９間の長さ（穴部Ｋ３８の中心と穴部Ｋ３９の中心の間の長さ）Ｌ３８とは同一となっている（Ｌ３１＝Ｌ３２＝Ｌ３３＝Ｌ３４＝Ｌ３５＝Ｌ３６＝Ｌ３８＝Ｌ３８）。また、穴部Ｋ３１〜Ｋ３９における隣接する穴部間の長さは、穴部Ｋ１１〜Ｋ１５における隣接する穴部間の長さ（つまり、長さＬ１１、Ｌ１２、Ｌ１３、Ｌ１４）や長さＬ１、Ｌ２と同一となっている（Ｌ３１＝Ｌ１＝Ｌ１１）。また、穴部Ｋ３１〜Ｋ３９は、いずれも円形であり、穴部Ｋ３１〜Ｋ３９の直径は、いずれも同一となっており、また、穴部Ｋ１１や穴部Ｋ２１の直径と同一となっている。
【００９７】
また、連結部材３００の長手方向の端部と該端部に最も近い穴部（厳密には穴部の中心）間の長さは、長さＬ３１の半分の長さとなっている。つまり、連結部材３００の長手方向における一方の端部と穴部Ｋ３１の中心間の長さＬ３９−１と、他方の端部と穴部Ｋ３９の中心間の長さＬ３９−２は、同一の長さであり、長さＬ３１の半分となっている（Ｌ３９−１＝Ｌ３９−２＝Ｌ３１／２）。
【００９８】
なお、連結部材３００は、長手方向の中心線（つまり、各穴部の中心を通る仮想線）を介して線対称であるとともに、短手方向の中心線（長手方向の中心線と直角で穴部Ｋ３５の中心を通る仮想線）を介して線対称に形成されている。
【００９９】
連結部材３００を水質浄化装置５に取り付けるには、穴部Ｋ１１〜Ｋ１５におけるいずれかの穴部と連結部材３００の穴部Ｋ３１〜Ｋ３９におけるいずれかの穴部を合わせた状態で、ボルトとナットにより取り付ける。連結部材３００を取り付けるためのボルトとナットは、第２固定具に当たる。
【０１００】
穴部Ｋ３１〜Ｋ３９において、穴部Ｋ１１〜Ｋ１５と合わせる穴部の組み合わせは複数設けられ、合わせる穴部を選択することにより、左右方向に隣接する装置本体７との間隔を調整できる。例えば、連結部材３００と上横部３２との連結に際して、連結強度を高くするために２つの穴部で連結するとともに、隣接する装置本体７側の２つの穴部を用いる（つまり、水質浄化装置５Ａでは、穴部Ｋ１４、Ｋ１５を使用し、水質浄化装置５Ｂでは、穴部Ｋ１１、Ｋ１２を使用する）ことを前提とした場合に、装置本体７間の間隔を最も長くするには、図１１に示すように、穴部Ｋ３１と穴部Ｋ１４を合わせ、穴部Ｋ３２と穴部Ｋ１５を合わせるとともに、穴部Ｋ３９と穴部Ｋ１２を合わせ、穴部Ｋ３８と穴部Ｋ１１とを合わせることにより、ボルトとナットが設けられた両側の穴部（つまり、穴部Ｋ１５と穴部Ｋ１１）の間には、図１１に示すように、ボルトとナットが設けられていない穴部Ｋ３３〜Ｋ３７があり、装置本体７間の間隔を短くするには、ボルトとナットが設けられた両側の穴部の間のボルトとナットが設けられていない穴部（これを未使用穴部とする）の数を減らしていき、装置本体７間の間隔を最も短くするには、未使用穴部の数を１つとする。なお、右縦板１２や左縦板２２の外側の面には脚部やボルトが設けられているので、未使用穴部を０とすることはできない。ただし、長さＬ１５、Ｌ１６を長さＬ１１よりも短くすることにより、未使用穴部の数を０にすることはできる。
【０１０１】
また、連結部材４００は、図７（ｃ）に示すように構成され、脚部８０と同一の構成である。
【０１０２】
すなわち、連結部材４００は、帯板状を呈し、平面視における長手方向の辺部は、互いに平行な直線状を呈し、短手方向の辺部は、半円状を呈している。また、連結部材４００には、長手方向の辺部に沿って、穴部（上横部取付け用穴部）Ｋ４１〜Ｋ４５が一列に設けられ、隣接する穴部間の長さ（２つの穴部の中心間の長さ）は同一に形成されている。つまり、穴部Ｋ４１と穴部Ｋ４２間の長さ（穴部Ｋ４１の中心と穴部Ｋ４２の中心の間の長さ）Ｌ４１と、穴部Ｋ４２と穴部Ｋ４３間の長さ（穴部Ｋ４２の中心と穴部Ｋ４３の中心の間の長さ）Ｌ４２と、穴部Ｋ４３と穴部Ｋ４４間の長さ（穴部Ｋ４３の中心と穴部Ｋ４４の中心の間の長さ）Ｌ４３と、穴部Ｋ４４と穴部Ｋ４５間の長さ（穴部Ｋ４４の中心と穴部Ｋ４５の中心の間の長さ）Ｌ４４は同一となっている（Ｌ４１＝Ｌ４２＝Ｌ４３＝Ｌ４４）。また、穴部Ｋ４１〜Ｋ４５における隣接する穴部間の長さは、穴部Ｋ１１〜Ｋ１５における隣接する穴部間の長さ（つまり、長さＬ１１、Ｌ１２、Ｌ１３、Ｌ１４）や長さＬ１、Ｌ２と同一となっている（Ｌ４１＝Ｌ１＝Ｌ１１）。また、穴部Ｋ４１〜Ｋ４５は、いずれも円形であり、穴部Ｋ４１〜Ｋ４５の直径は、いずれも同一となっており、また、穴部Ｋ２１の直径と同一となっている。
【０１０３】
以上のように、長さＬ１、Ｌ２と長さＬ２１〜Ｌ２４は、第１の間隔に当たり、長さＬ１１〜Ｌ１４と長さＬ３１〜Ｌ３８と長さＬ４１〜Ｌ４４は、第２の間隔に当たり、第１の間隔と第２の間隔は同一となっている。よって、脚部８０を連結部材として用いることができ、連結部材３００、４００を脚部として用いることもできる。なお、第１の間隔の長さや第２の間隔の長さとしては、例えば、５０ｍｍとすることが考えられる。
【０１０４】
また、連結部材４００の長手方向の端部と該端部に最も近い穴部（厳密には穴部の中心）間の長さは、長さＬ４１の半分の長さとなっている。つまり、連結部材４００の長手方向における一方の端部と穴部Ｋ４１の中心間の長さＬ４５−１と、他方の端部と穴部Ｋ４５の中心間の長さＬ４５−２は、同一の長さであり、長さＬ４１の半分となっている（Ｌ４５−１＝Ｌ４５−２＝Ｌ４１／２）。
【０１０５】
なお、連結部材４００は、長手方向の中心線（つまり、各穴部の中心を通る仮想線）を介して線対称であるとともに、短手方向の中心線（長手方向の中心線と直角で穴部Ｋ４３の中心を通る仮想線）を介して線対称に形成されている。
【０１０６】
連結部材４００を水質浄化装置５に取り付けるには、穴部Ｋ１１〜Ｋ１５におけるいずれかの穴部と連結部材３００の穴部Ｋ３１〜Ｋ３９におけるいずれかの穴部を合わせた状態で、ボルトとナットにより取り付ける。連結部材４００を取り付けるためのボルトとナットは、第２固定具に当たる。
【０１０７】
なお、連結部材４００は、装置本体７を前後方向に連結するのに用いるが、穴部Ｋ４１〜Ｋ４５において、穴部Ｋ１１〜Ｋ１５と合わせる穴部の組み合わせは複数設けられ、合わせる穴部を選択することにより、前後方向に隣接する装置本体７との間隔を調整できる。つまり、前後方向における装置本体７の連結に際して、穴部Ｋ４１と穴部Ｋ４５を用いた場合には、前後方向の間隔が最も長くなり、穴部Ｋ４１〜Ｋ４５において、隣接する２つの穴部を用いた場合には、最も前後方向の間隔が短くなる。
【０１０８】
脚部８０の短手方向の長さＬ２６と、連結部材３００の短手方向の長さＬ４０と、連結部材４００の短手方向の長さＬ４６は、同一に形成されている。
【０１０９】
なお、水質浄化装置５と連結部材３００、４００とで、水質浄化システム１が構成される。
【０１１０】
次に、水質浄化装置５や水質浄化システム１の使用方法について説明する。水質浄化装置５は、装置本体７に浄化材収納ユニット１００を収納して取り付けることにより構成されるが、まず、浄化材収納ユニット１００は以下のようにして作成する。
【０１１１】
すなわち、枠状部１０５に浄化材２５０を収納するが、その際、枠状部１０５の底面側には連結材部１１３〜１１７が設けられているのみであるので、枠状部１０５をシート４９０の上に配置した状態で、浄化材２５０を枠状部１０５内に収納していく。図９は、浄化材２５０としての竹炭を枠状部１０５に収納した例を示すものである。
【０１１２】
その後、図１０に示すように、浄化材２５０を収納した枠状部１０５を収納部２００に収納していく。その際、枠状部１０５の底面側は連結材部１１３〜１１７が設けられている以外は開いた状態であり、枠状部１０５を持ち上げると浄化材２５０が枠状部１０５の収納空間（枠状部１０５を構成する各部材間に設けられる平面状の仮想面に囲まれた空間）から離脱してシート４９０上に残った状態となってしまうため、枠状部１０５がシート４９０に接した状態を維持しつつ、収納部２００の先端開口部２０９を枠状部１０５の端部に位置させたら、収納部２００をシート４９０に沿って引きずるようにして、浄化材２５０を収納した枠状部１０５を収納部２００に収納していく。
【０１１３】
そして、枠状部１０５をすべて収納部２００に収納したら、閉じ用紐部２２０ａ、２２０ｂを引っ張ることにより収納部２００の先端開口部２０９を閉じる。以上のようにして、浄化材収納ユニット１００を構成する。
【０１１４】
次に、浄化材収納ユニット１００をユニット収納部８内に収納する。すなわち、浄化材収納ユニット１００をユニット収納部８の上方から収納する。ユニット収納部８に収納された浄化材収納ユニット１００は、横架材７０、７２の上に載置された状態でユニット収納部８内に支持される。
【０１１５】
なお、枠状部１０５が設けられ、枠状部１０５は、浄化剤２５０を収納した状態で網状部２０１に収納されるので、浄化材収納ユニット１００の形を保つことができ、浄化材収納ユニット１００がユニット収納部８の底面から垂れ下がるのを防止することができる。特に、枠状部１０５の底面側には連結材部１１３〜１１７が設けられていて、浄化剤２５０の一部が連結材部１１３〜１１７により支持され、また、網状部２０１の底面側は横架部７０、７２により支持されるので、網状部２０１が浄化材２５０の重みでユニット収納部８の底面から大きく垂れ下がるのを防止することができる。
【０１１６】
浄化材収納ユニット１００をユニット収納部８に収納したら、取付け用紐部２１０ａ、２１０ｂ等により浄化材収納ユニット１００をユニット収納部８に固定する。すなわち、取付け用紐部２１０ｂを右縦板１２の穴部Ｋ５に内側から挿通した状態で、取付け用紐部２１０ａと結んだ状態とし、取付け用紐部２１２ｂを左縦板２２の穴部Ｋ６に内側から挿通した状態で、取付け用紐部２１２ａと結んだ状態とし、取付け用紐部２１４ｂを右縦板１２の穴部Ｋ６に内側から挿通した状態で、取付け用紐部２１４ａと結んだ状態とし、取付け用紐部２１６ｂを左縦板２２の穴部Ｋ５に内側から挿通した状態で、取付け用紐部２１６ａと結んだ状態とし、図１に示すように、浄化材収納ユニット１００をユニット収納部８に固定する。以上のようにして、水質浄化装置５を組み立てる。
【０１１７】
また、２つの水質浄化装置５（５Ａ、５Ｂ）を連結するには、図１１に示すように、２つの連結部材３００を用いて連結する。
【０１１８】
すなわち、２つの水質浄化装置５Ａ、５Ｂの正面側については、連結部材３００を一方の水質浄化装置５Ａの上横板３２の上面と他方の水質浄化装置５Ｂの上横板３２の上面に配置し、一方の水質浄化装置５Ａにおいて、穴部Ｋ３１と穴部Ｋ１４を合わせた状態でボルトを挿通してナットを締結し、穴部Ｋ３２と穴部Ｋ１５を合わせた状態でボルトを挿通してナットを締結し、他方の水質浄化装置５Ｂにおいて、穴部Ｋ３９と穴部Ｋ１２を合わせた状態でボルトを挿通してナットを締結し、穴部Ｋ３８と穴部Ｋ１１を合わせた状態でボルトを挿通してナットを締結して、上横板３２同士を連結し、２つの水質浄化装置５Ａ、５Ｂの背面側については、連結部材３００を一方の水質浄化装置５Ａの上横板５２の上面と他方の水質浄化装置５Ｂの上横板５２の上面に配置し、一方の水質浄化装置５Ａにおいて、穴部Ｋ３１と穴部Ｋ１２を合わせた状態でボルトを挿通してナットを締結し、穴部Ｋ３２と穴部Ｋ１１を合わせた状態でボルトを挿通してナットを締結し、他方の水質浄化装置５Ｂにおいて、穴部Ｋ３９と穴部Ｋ１４を合わせた状態でボルトを挿通してナットを締結し、穴部Ｋ３８と穴部Ｋ１５を合わせた状態でボルトを挿通してナットを締結して、上横板５２同士を連結することにより、水質浄化システム１を構成する。
【０１１９】
水質浄化システム１を用水路に設置する例としては、図１２に示すように、用水路６００に設置し、水質浄化装置５Ａ、５Ｂの設置方向としては、水質浄化装置５Ａ、５Ｂの長手方向を用水路６００の水流の流れの方向（矢印６０８の方向）に沿って設置する。
【０１２０】
なお、水質浄化システム１の設置に際しては、浄化材２５０による浄化効率を上げるために、水質浄化装置５Ａ、５Ｂと用水路６００の側面間の距離や水質浄化装置５Ａと水質浄化装置５Ｂ間の間隔を調整する必要があり、また、水の流れを確保して水が濁るのを防止する必要がある。
【０１２１】
つまり、水質浄化装置５Ａと側面６０４間の距離Ｌ６１０と、水質浄化装置５Ａと水質浄化装置５Ｂ間の距離Ｌ６１２と、水質浄化装置５Ｂと側面６０６間の距離Ｌ６１４を水がなるべく均等に浄化材に接するとともに、各距離の隙間において、水の流れを確保できるようにする。
【０１２２】
例えば、距離Ｌ６１０と距離Ｌ６１４を同一とし、距離Ｌ６１２を距離Ｌ６１０の２倍とすることにより、距離Ｌ６１０の隙間と距離Ｌ６１２の隙間と距離Ｌ６１４の隙間において、水質浄化装置までの距離（水流方向に対する直角方向の距離）が過度に長くなる箇所はないので、水を浄化剤に均等に接するようにして浄化効率を上げることができる。
【０１２３】
なお、距離Ｌ６１０、Ｌ６１２、Ｌ６１４のいずれかを極端に短くすると、短くした距離の隙間では水の流れが遅くなり、該隙間の水が濁ってしまうおそれがあるので、距離Ｌ６１０、Ｌ６１２、Ｌ６１４について水の流れを確保できる長さにする必要があり、上記のように、距離Ｌ６１０と距離Ｌ６１４を同一とし、距離Ｌ６１２を距離Ｌ６１０の２倍とした場合に、距離Ｌ６１０の隙間や距離Ｌ６１４の隙間では水の流れを確保できない場合には、距離Ｌ６１０の隙間や距離Ｌ６１４の隙間を距離Ｌ６１２の半分よりも大きくして浄化効率を上げるのが好ましい。
【０１２４】
水質浄化装置５Ａと水質浄化装置５Ｂの間隔は、上記のように、連結部材３００の穴部Ｋ３１〜Ｋ３９において、穴部Ｋ１１〜Ｋ１５と合わせる穴部を選択することにより、調整することができる。
【０１２５】
水質浄化装置５Ａ、５Ｂを設置した状態で、用水路６００に水が流れると、水は、網状部２０１を透過して浄化材２５０に至って浄化される。なお、ユニット収納部８において、上縦板３４と下縦板４４間に間隔Ｎ２が設けられて開口部４９が設けられ、上縦板５４と下縦板６４間に間隔Ｎ２が設けられて開口部６９が設けられているので、水質浄化装置５の長手方向を水流の方向に沿わせて設置することにより、水を浄化材収納ユニット１００の短手側の側面側（つまり、流路の方向に対する正面側）に接しやすくでき、水を浄化材２５０により浄化することができる。つまり、水が浄化材２５０に至りやすく、また、浄化材２５０により浄化された水がユニット収納部８から流出しやすい。例えば、図１２のように、水質浄化装置５の正面側を水流の上流側とした場合には、水は、主に、開口部４９側から流入し、開口部６９側から流出する。
【０１２６】
また、ユニット収納部８の底面側も連結材部１１３〜１１７が設けられている以外は開いた状態であるので、水を浄化材収納ユニット１００の底面側に接しやすくすることができ、これによっても、水を浄化材２５０により浄化することができる。さらに、水の水面の高さが高い場合には、水が浄化材収納ユニット１００の上面側からも接することができ、これによっても、水を浄化材２５０により浄化することができる。
【０１２７】
また、脚部８０〜８６のユニット収納部８への取付け位置を調整して、ユニット収納部８の高さを調整して、浄化材の高さ方向の位置を水面に近い位置とすることにより浄化材に付着した泥が流れやすくして浄化材としての竹炭を長持ちさせることができ、また、水面の高さが下降した際に浄化材としての竹炭に日光が当たりやすくして、竹炭の効果を復元しやすくすることができる。
【０１２８】
脚部８０〜８６のユニット収納部８への取付け位置の調整は、脚部の穴部Ｋ２１〜Ｋ２５において、穴部Ｋ１、Ｋ２や穴部Ｋ３、Ｋ４と合わせる穴部を選択することにより行なうことができる。
【０１２９】
また、脚部８０〜８６によりユニット収納部８の底面と水質浄化装置５の設置面の間に間隔が設けられ、ユニット収納部８の底面側においても水が流れるので、特に、設置面がコンクリートの場合に、ユニット収納部８の底面側に泥や土が溜まることがない。なお、水質浄化装置５Ａと水質浄化装置５Ｂの間の位置においては、水が流れるので、当然泥や土が溜まることがない。
【０１３０】
浄化に使用した浄化剤２５０としての竹炭は、収納部２００から取り出して、肥料として用いることができる。
【０１３１】
なお、浄化材収納ユニット１００は、取付け用紐部２１０ａ、２１０ｂ、２１２ａ、２１２ｂ、２１４ａ、２１４ｂ、２１６ａ、２１６ｂによりユニット収納部８に固定されているので、浄化材２５０が装置本体７から脱落してしまうことがない。
【０１３２】
なお、図１２では、水流の方向に対して直角方向に複数の水質浄化装置５を連結して配置する例を示したが、水流の方向へも連結して配置することができる。
【０１３３】
すなわち、図１３に示す水質浄化システム１は、水質浄化装置５Ａ、５Ｂ、５Ｃ、５Ｄを有し、水質浄化装置５Ａと水質浄化装置５Ｂは、図１１に示す水質浄化システム１と同様に、２つの連結部材３００により連結されている。
【０１３４】
また、水質浄化装置５Ｃと水質浄化装置５Ｄは、同じように連結部材３００により連結されていて、水質浄化装置５Ｃと水質浄化装置５Ｄと２つの連結部材３００とからなる構成は、図１１に示す水質浄化システム１と同様である。
【０１３５】
また、水質浄化装置５Ａと水質浄化装置５Ｃは、２つの連結部材４００により連結されていて、図１３における左側の連結部材４００Ａについては、連結部材４００の穴部Ｋ４１と上横板５２の穴部Ｋ１５を合わせた状態で、ボルトとナットで上横板５２と連結部材４００とが連結されるとともに、連結部材４００の穴部Ｋ４５と上横板３２の穴部Ｋ１１を合わせた状態で、ボルトとナットで上横板３２と連結部材４００とが連結されている。また、図１３における右側の連結部材４００Ｂについては、上横板５２の穴部Ｋ１１と連結部材３００の穴部Ｋ３２と連結部材４００の穴部Ｋ４１とを合わせた状態で、ボルトとナットで上横板５２と連結部材３００と連結部材４００とが連結されるとともに、上横板３２の穴部Ｋ１５と連結部材３００の穴部Ｋ３２と連結部材４００の穴部Ｋ４５とを合わせた状態で、ボルトとナットで上横板３２と連結部材３００と連結部材４００とが連結されている。
【０１３６】
また、水質浄化装置５Ｂと水質浄化装置５Ｄも、２つの連結部材４００により連結されていて、図１３における右側の連結部材４００Ｄについては、連結部材４００の穴部Ｋ４１と上横板５２の穴部Ｋ１１を合わせた状態で、ボルトとナットで上横板５２と連結部材４００とが連結されるとともに、連結部材４００の穴部Ｋ４５と上横板３２の穴部Ｋ１５を合わせた状態で、ボルトとナットで上横板３２と連結部材４００とが連結されている。また、図１３における左側の連結部材４００Ｃについては、上横板５２の穴部Ｋ１５と連結部材３００の穴部Ｋ３８と連結部材４００の穴部Ｋ４１とを合わせた状態で、ボルトとナットで上横板５２と連結部材３００と連結部材４００とが連結されるとともに、上横板３２の穴部Ｋ１１と連結部材３００の穴部Ｋ３８と連結部材４００の穴部Ｋ４５とを合わせた状態で、ボルトとナットで上横板３２と連結部材３００と連結部材４００とが連結されている。図１３に示す構成においては、連結部材４００（４００Ｂ）、４００（４００Ｃ）は、連結部材３００の上面に重なった状態となっている。
【０１３７】
以上のように、上横板３２、５２の穴部と連結部材３００の穴部と連結部材４００の穴部とを合わせることにより、上横板３２、５２における１つの穴部を利用して左右方向（Ｘ１−Ｘ２方向）にも前後方向（Ｙ１−Ｙ２方向）（水流の方向）にも連結部材を連結させることができ、左右方向にも前後方向にも水質浄化装置５を連結させることができる。
【０１３８】
なお、図１３に示す水質浄化システム１において、連結部材４００の５つの穴部のうち端部に位置する穴部（つまり、穴部Ｋ４１と穴部Ｋ４５）を用いているが、水質浄化システム１の設置面積の関係などから水質浄化装置５Ａと水質浄化装置５Ｃ間の間隔を短くし、水質浄化装置５Ｂと水質浄化装置５Ｄ間の間隔を短くしたい場合には、端部に位置する穴部以外の穴部を用いてもよい。
【０１３９】
図１３の構成においては、図１１の構成に比べて、前後方向に水質浄化装置が連結されているので、浄化能力を高めることができる。
【０１４０】
以上のように、実施例１の水質浄化装置５によれば、上横板３２、５２には複数の穴部Ｋ１１〜Ｋ１５が設けられ、連結部材３００にも複数の穴部Ｋ３１〜Ｋ３９が設けられているので、２つの水質浄化装置５間の間隔を調整することができ、用水路の幅に応じて、連結部材３００の上横板３２、５２に対する取付け位置を調整することにより２つの水質浄化装置間の距離を調整することができ、水の浄化効率を上げることができる。例えば、２つの水質浄化装置５間の距離を最も大きくするには、穴部Ｋ３１と上横板３２の穴部Ｋ１５の位置を合わせるとともに、穴部Ｋ３９と上横板３２の穴部Ｋ１１の位置を合わせ、また、２つの水質浄化装置５間の距離を最も小さくするには、穴部Ｋ３１と上横板３２の穴部Ｋ１３の位置を合わせるとともに、穴部Ｋ３９と上横板３２の穴部Ｋ１３の位置を合わせる。２つの水質浄化装置５間の間隔を調整することができるので、用水路や小河川等の水路の幅に応じて、２つの水質浄化装置５間の間隔を調整して浄化効率を上げることができる。
【０１４１】
また、連結部材４００を用いて、前後方向にも水質浄化装置５を連結することができるので、浄化能力を高めることができる。
【０１４２】
また、脚部８０〜８６の取付け位置を調整することによりユニット収納部８の高さを調整することにより、浄化材としての竹炭を長持ちさせ、竹炭の効果を復元させることができる。
【０１４３】
また、連結部材３００の上横板３２、５２への固定に際しては、複数の穴部により固定できるので、連結部材３００を強固に上横板３２、５２に取り付けることができる。
【０１４４】
また、穴部Ｋ１、Ｋ２や穴部Ｋ３、Ｋ４は、穴部Ｋ１１〜Ｋ１５と前後方向にずれて設けられているので、脚部８０〜８６の長さを長くできるので、脚部８０〜８６に多くの穴部を設けることができ、装置本体の高さの調整をきめ細かく行なうことができる。
【０１４５】
また、装置本体７における右構成部１０と左構成部２０が同じ部材を使用し、上横板３２、５２と下横板４２、６２が同じ部材を使用し、脚部８０〜８６が同じ部材を使用し、横架部７０、７２が同じ部材を使用しているので、低コストで装置本体７を製造することができる。
【０１４６】
なお、図１３では、上横板３２、５２の上面に連結部材３００が重なり、さらに、連結部材３００の上面に連結部材４００が重なった状態を示してるが、上横板３２、５２の上面に連結部材４００が重なり、さらに、連結部材４００の上面に連結部材３００が重なった構成としてもよい。
【０１４７】
なお、連結部材４００（４００Ｂ）、４００（４００Ｃ）については、連結部材３００に重なっているが、連結部材３００に重ねずに連結することができる（例えば、上横板５２の穴部Ｋ１３と上横板３２の穴部Ｋ１３を用いる）。ただし、連結の強度を高めるには、上横板３２、５２における両端の穴部を用いるのが好ましいので、図１３に示すように構成するのが好ましいといえる。
【０１４８】
また、１つの水質浄化装置５の左右両側に水質浄化装置５を連結することも考えられ、その場合に、隣接する水質浄化装置５間の距離が短い場合には、一方の水質浄化装置５と連結する連結部材３００と他方の水質浄化装置５と連結する連結部材３００とが重なることも考えられる。
【０１４９】
また、下横板４２、６２にも穴部Ｋ１１〜Ｋ１５が設けられているので、下横板４２、６２に連結部材３００、４００を取り付けて、左右方向や前後方向に水質浄化装置５を連結することができる。下横板４２、６２に連結部材３００、４００を取り付けるには、下横板４２、６２の下面側に連結部材３００、４００を配置して、下横板４２、６２の下面側から挿入されたボルトにナットを締結することにより取り付ける。つまり、下横板４２、６２の下面に連結部材３００や連結部材４００を重ねた状態として、ボルトとナットで取付けを行なう。なお、連結部材３００と連結部材４００を重ねる場合には、下横板４２、６２の下面に連結部材３００を重ねて、さらに、連結部材３００の下面に連結部材４００を重ねる構成でもよいし、下横板４２、６２の下面に連結部材４００を重ねて、さらに、連結部材４００の下面に連結部材３００を重ねる構成でもよい。
【０１５０】
また、図１２においては、水質浄化装置５の正面側（上前構成部３０、下前構成部４０側）を水流の上流側として配置しているが、水質浄化装置５の背面側（上後構成部５０、下後構成部６０側）を水流の上流側として配置してもよい。その場合には、水は、主に、開口部６９側から流入し、開口部４９側から流出する。
【実施例２】
【０１５１】
次に、実施例２の水質浄化装置について説明する。実施例２の水質浄化装置は、実施例１と略同様の構成であるが、装置本体の構成が異なり、実施例２の装置本体７’は、トレー５００を有している。
【０１５２】
すなわち、装置本体７’は、ユニット収納部８と、ユニット収納部８に取り付けられた脚部８０、８２、８４、８６と、トレー５００とを有している。
【０１５３】
ユニット収納部８と脚部８０、８２、８４、８６は、実施例１の装置本体７におけるユニット収納部８及び脚部８０、８２、８４、８６と同一の構成であるの詳しい説明を省略する。
【０１５４】
トレー５００は、トレー本体５１０と、トレー本体５１０の４つの角部に設けられた取付部５３０〜５３６とを有している。
【０１５５】
トレー本体５１０は、長方形状の容器状を呈し、長方形状の平板状を呈する底面部５１２と、底面部５１２の正面側の辺部から連設され上方に立設した側面部５１４と、底面部５１２の右側面側の辺部から連設され上方に立設した側面部５１６と、底面部５１２の左側面側の辺部から連設され上方に立設した側面部５１８と、底面部５１２の背面側の辺部から連設され上方に立設した側面部５２０とを有している。
【０１５６】
トレー本体５１０の前後方向の長さ（側面部５１４の外側の面と側面部５２０の外側の面間の長さ）は、装置本体７の前後方向の長さ（上縦部３４及び下縦部４４の外側の面と上縦部５４及び下縦部６４の外側の面間の長さ）よりも長く形成され、トレー本体５１０の左右方向の長さ（側面部５１６の外側の面と側面部５１８の外側の面間の長さ）は、装置本体７の左右方向の長さ（ユニット収納部８の左右方向の長さとしてもよい）よりも長く形成されている。よって、浄化材２５０に接触したが、浄化材２５０に捕獲されなかった泥や土をトレー本体により集めることができる。
【０１５７】
側面部５１４〜５２０の上下方向の長さは同一であり、側面部５１４〜５２０の上下方向の長さは、ユニット収納部８が脚部８０〜８６に対して最も下方の位置に取り付けられた状態で、開口部４９、６９からの水の流入の支障にならない長さとなっている。つまり、脚部８０〜８６において、取付部５３０〜５３６が取り付けられた穴部（脚部における最下端の穴部）（例えば、穴部Ｋ２５）の上側に隣接する２つの穴部（例えば、穴部Ｋ２４、Ｋ２３）を右縦板１２や左縦板２２の穴部に合わせて脚部８０〜８６をユニット収納部８に取り付けた場合に、側面部５１４〜５２０の上端が下縦板４４、６４の上端よりも上側とならないように、側面部５１４〜５２０の上下方向の長さが設定されている。なお、ユニット収納部８が脚部８０〜８６に対して最も下方の位置に取り付けられた状態では、右縦板１２や左縦板２２の下端は、脚部の最下端の穴部の高さ位置（又はその付近）となるので、側面部５１４〜５２０の上端が、取付部５３０〜５３６の穴部（垂直板部５４２の穴部）の位置よりも下方位置となるようにするのが好ましい。
【０１５８】
また、取付部５３０〜５３６は、Ｌ字状の金具であり、取付部５３０〜５３６はいずれも同一の構成であるので、取付部５３０を例にとって説明すると、取付部５３０は、底面部５１２の上面に沿って設けられ底面部５１２に固定された平板状の水平板部５４０と、水平板部５４０に対して直角をなす平板状の垂直板部５４２とを有し、水平板部５４０を外側に向けた状態で底面部５１２に固定されている。水平板部５４０の側面部５１６側の端部は、側面部５１６と接している。これにより、垂直板部５４２と側面部５１６間には間隔が設けられていて、ボルトを回転させるのに側面部５１６が支障とならないようにしている。また、垂直板部５４２には、ボルトを挿通するための穴部が設けられている。なお、垂直板部５４２の穴部は、脚部８０〜８６の最下端の穴部を合わせることができる高さ位置に設けられ、例えば、脚部８０〜８６の最下端の穴部を合わせた際に、脚部８０〜８６がトレー本体５１０の上面に接する高さ位置となっている（つまり、垂直板部５４２の下端から垂直板部の穴部の中心までの長さが、長さＬ２５−１や長さＬ２５−２と同一となっている）。
【０１５９】
取付部５３０は、側面部５１４と側面部５１６の角部近傍に設けられ、取付部５３２は、側面部５１６と側面部５２０の角部近傍に設けられ、取付部５３４は、側面部５１８と側面部５２０の角部近傍に設けられ、取付部５３６は、側面部５１４と側面部５１８の角部近傍に設けられている。図１４において、取付部５３０、５３６と側面部５１４間には間隔が設けられ、取付部５３２、５３４と側面部５２０間には間隔が設けられているが、取付部５３０、５３６と側面部５１４が接し、取付部５３２、５３４と側面部５２０が接する構成としてもよい。
【０１６０】
脚部８０〜８６は、取付部５３０〜５３６における対応する取付部にボルトとナットにより固定されている。つまり、脚部８０は取付部５３０に取り付けられ、脚部８２は、取付部５３２に取り付けられ、脚部８４は、取付部５３４に取り付けられ、脚部８６は、取付部５３６に取り付けられている。取付部５３０〜５３６を脚部に取り付けるためのボルトとナットは、第３固定具に当たる。
【０１６１】
このように、装置本体７’には、トレー５００が設けられているので、トレー本体５１０に土や泥を溜めることができ、装置本体７’を用いた水質浄化装置を定期的に用水路から引き上げ、トレー本体５１０を洗浄して土や泥を除くことにより、用水路に土や泥が堆積するのを防止することができる。なお、ユニット収納部８とトレー本体５１０の底面部５１２間には間隔が設けられ、ユニット収納部８の底面側において水が流れるので、土や泥が溜まる量を少なくできる。
【０１６２】
なお、ユニット収納部８は、脚部８０〜８６によりトレー本体５１０の底面部５１２よりも上方にあり、また、ユニット収納部８の底面は、横架部７０、７２が設けられている以外は開口しているので、トレー本体５１０の洗浄は容易である。また、脚部８０〜８６とトレー５００間のボルトとナットを外して、トレー５００を装置本体７’から取り外すことにより、トレー本体５１０を洗浄しやすくすることができる。
【０１６３】
つまり、実施例２の水質浄化装置は、底部が土で構成されている用水路に適しており、一方、実施例１の水質浄化装置は、トレーが設けられていないので、底部がコンクリートで構成されている用水路に適しているといえる。
【０１６４】
実施例２の水質浄化装置の使用方法は、実施例１の水質浄化装置５と同様であり、装置本体７’に浄化剤収納ユニット１００を収納して収容する。浄化材収納ユニット１００の装置本体７’への収納の仕方は、実施例１の水質浄化装置５の場合と同様であるので、詳しい説明を省略する。
【０１６５】
また、実施例１の場合と同様に、連結部材３００を用いて、左右方向に水質浄化装置を連結することができ、また、連結部材４００を用いて、前後方向に水質浄化装置を連結することができる。
【０１６６】
以上のように、実施例２の水質浄化装置によれば、上横板３２、５２には複数の穴部Ｋ１１〜Ｋ１５が設けられ、連結部材３００にも複数の穴部Ｋ３１〜Ｋ３９が設けられているので、２つの水質浄化装置５間の間隔を調整することができ、用水路の幅に応じて、連結部材３００の上横板３２、５２に対する取付け位置を調整することにより２つの水質浄化装置間の距離を調整することができ、水の浄化効率を上げることができる。そして、２つの水質浄化装置５間の間隔を調整することができるので、用水路や小河川等の水路の幅に応じて、２つの水質浄化装置５間の間隔を調整して浄化効率を上げることができる。
【０１６７】
また、連結部材４００を用いて、前後方向にも水質浄化装置５を連結することができるので、浄化能力を高めることができる。
【０１６８】
また、脚部８０〜８６の取付け位置を調整することによりユニット収納部８の高さを調整することにより、浄化材としての竹炭を長持ちさせ、竹炭の効果を復元させることができる。
【０１６９】
また、連結部材３００の上横板３２、５２への固定に際しては、複数の穴部により固定できるので、連結部材３００を強固に上横板３２、５２に取り付けることができる。
【０１７０】
また、穴部Ｋ１、Ｋ２や穴部Ｋ３、Ｋ４は、穴部Ｋ１１〜Ｋ１５と前後方向にずれて設けられているので、脚部８０〜８６の長さを長くできるので、脚部８０〜８６に多くの穴部を設けることができ、装置本体の高さの調整をきめ細かく行なうことができる。
【０１７１】
また、トレー５００が設けられているので、トレー本体５１０に土や泥を溜めることができ、装置本体７’を用いた水質浄化装置を定期的に用水路から引き上げ、トレー本体５１０を洗浄して土や泥を除くことにより、用水路に土や泥が堆積するのを防止することができる。
【０１７２】
なお、ユニット収納部８は、脚部８０〜８６によりトレー本体５１０の底面部５１２よりも上方にあり、また、ユニット収納部８の底面は、横架部７０、７２が設けられている以外は開口しているので、トレー本体５１０の洗浄は容易である。
【０１７３】
また、装置本体７’における右構成部１０と左構成部２０が同じ部材を使用し、上横板３２、５２と下横板４２、６２が同じ部材を使用し、脚部８０〜８６が同じ部材を使用し、横架部７０、７２が同じ部材を使用しているので、低コストで装置本体７’を製造することができる。
【０１７４】
なお、実施例１の場合と同様に、連結部材３００と連結部材４００が重なった構成とする場合には、上横板３２、５２の上面に連結部材３００が重なり、さらに、連結部材３００の上面に連結部材４００が重なった状態としてもよく、また、上横板３２、５２の上面に連結部材４００が重なり、さらに、連結部材４００の上面に連結部材３００が重なった構成としてもよい。
【０１７５】
また、実施例１の場合と同様に、連結部材４００については、連結部材３００に連結させない構成としてもよい。ただし、連結の強度を高めるには、連結部材４００は、上横板３２、５２における両端の穴部を用いて連結するのが好ましいので、上横板３２、５２における端部の穴部に連結部材３００が連結されている場合には、連結部材３００に重ねて連結するのが好ましい。
【０１７６】
また、実施例１の場合と同様に、１つの水質浄化装置５の左右両側に水質浄化装置５を連結することも考えられ、一方の水質浄化装置５と連結する連結部材３００と他方の水質浄化装置５と連結する連結部材３００とが重なるようにしてもよい。
【０１７７】
また、実施例１の場合と同様に、下横板４２、６２にも穴部Ｋ１１〜Ｋ１５が設けられているので、下横板４２、６２に連結部材３００、４００を取り付けて、左右方向や前後方向に水質浄化装置を連結してもよい。
【０１７８】
なお、実施例１及び実施例２において、下横板４２を上横板３２の背面側の端部よりも背面側に長く形成するとともに、下横板６２を上横板５２の正面側の端部よりも正面側に長く形成して、浄化材収納ユニット１００を下横板４２、６２により支持できるようにしてもよい。その場合には、横架部７０、７２は、下横板４２、６２の高さ方向の位置を同一とするために、右横板１４と左横板２４の下面に溶接等により固定して設けるのが好ましい。なお、浄化材収納ユニット１００を下横板４２、６２により支持できるので、横架部７０、７２の構成を省略してもよい。
【０１７９】
また、実施例１及び実施例２において、横架部７０、７２の構成を省略するとともに、下横板４２、６２により浄化材収納ユニット１００を支持しない構成として、浄化材収納ユニット１００を取付け用紐部２１０ａ、２１０ｂ、２１２ａ、２１２ｂ、２１４ａ、２１４ｂ、２１６ａ、２１６ｂにより右縦板１２や左縦板２２に吊り下げる構成としてもよい。
【０１８０】
また、実施例１及び実施例２において、右縦板１２の穴部Ｋ１、Ｋ２と左縦板２２の穴部Ｋ３、Ｋ４は、前後方向において上横板３２の穴部Ｋ１１〜Ｋ１５に対して背面側にずれて形成されているとしたが、上横板３２の前後方向の長さを図示する長さよりも長くして、正面側にずれた構成としてもよい。同様に、右縦板１２の穴部Ｋ３、Ｋ４と左縦板２２の穴部Ｋ１、Ｋ２は、前後方向において上横板５２の穴部Ｋ１１〜Ｋ１５に対して正面側にずれて形成されているとしたが、上横板５２の前後方向の長さを図示する長さよりも長くして、背面側にずれた構成としてもよい。
【０１８１】
また、実施例１及び実施例２において、右縦板１２の穴部Ｋ１、Ｋ２と左縦板２２の穴部Ｋ３、Ｋ４は、前後方向において上横板３２の穴部Ｋ１１〜Ｋ１５に対して背面側にずれて形成されているとしたが、穴部Ｋ１１〜Ｋ１５に対して前後方向において同じ位置とし、右縦板１２の穴部Ｋ３、Ｋ４と左縦板２２の穴部Ｋ１、Ｋ２は、前後方向において上横板５２の穴部Ｋ１１〜Ｋ１５に対して正面側にずれて形成されているとしたが、穴部Ｋ１１〜Ｋ１５に対して前後方向において同じ位置としてもよい。その場合には、右縦板１２と左縦板２２の上下方向の長さを図示する長さよりも長くして、穴部Ｋ１〜Ｋ４を右縦板１２や左縦板２２のなるべく下側に設けることにより、脚部８０〜８６においてユニット収納部８の下方に突出する長さを短くした場合に、上横板３２、５２から上方に突出しないようにして、上横板３２、５２に取り付けられた連結部材３００と干渉しないようにする。
【０１８２】
また、実施例１及び実施例２において、上横板３２、５２や下横板４２、６２には、５つの穴部Ｋ１１〜Ｋ１５が設けられているとしたが、２以上の穴部が設けられていればよい。つまり、１つの連結部材３００、４００との連結には、最低１つの穴部があればよいので、右側面側に連結する連結部材のための穴部と左側面側に連結する連結部材のための穴部の計２つが最低設けられていればよい。
【０１８３】
また、右縦板１２や左縦板２２には、上下方向に２つの穴部Ｋ１、Ｋ２や穴部Ｋ３、Ｋ４が設けられているとしたが、上下方向に３つ以上の穴部を設けるものとしてもよい。
【０１８４】
また、脚部８０〜８６には、５つの穴部Ｋ２１〜Ｋ２５が設けられているとしたが、３つ以上であればよい。すなわち、穴部が３つあれば、右縦板１２や左縦板２２の取付け用の穴部が上下で２箇所であれば、ユニット収納部８の高さ位置の選択肢を２つ設けることができるので、脚部８０〜８６には、３つ以上の穴部が設けられていればよい。
【０１８５】
また、右縦板１２や左縦板２２に、水が通過可能なように開口部を設けてもよい。開口部の形状としては、例えば、横長長方形状とし、穴部Ｋ５のやや穴部Ｋ６側の位置から穴部Ｋ６のやや穴部Ｋ５側の位置まで形成する。つまり、図５において一点鎖線で示す領域に開口部１２ａ、２２ａを形成する。これにより、ユニット収納部８の右側面側と左側面側においても水を流入・流出させて、浄化材２５０により水を浄化することができる。
【０１８６】
また、上記の説明では、連結部材３００が左右方向に水質浄化装置５を連結するために使用され、連結部材４００が前後方向に水質浄化装置５を連結するために使用されるとしたが、連結部材３００を前後方向に連結するために使用してもよいし、連結部材４００を左右方向に連結するために使用してもよい。
【０１８７】
また、連結部材３００には、９つの穴部が設けられているとしたが、３つ以上の穴部が設けられていればよい。つまり、３つの穴部のうちの１つ（第１穴部）を一方の装置本体７、７’に連結し、他の装置本体７、７’に連設させる穴部として、残り２つのうちの１つを選択することにより、左右方向に隣接する水質浄化装置５の間隔を調整することができる。なお、その際には、第１穴部に隣接する穴部により他の装置本体７、７’と連結させる必要があるので、脚部８０〜８６と脚部を取り付けるためのボルト分の長さだけ左右方向に突出することから、上横板３２、５２や下横板４２、６２の長さＬ１５やＬ１６は、長さＬ１１よりも小さくする必要がある。なお、左右方向に隣接する水質浄化装置５の間隔の選択肢をある程度確保するには、連結部材３００の穴部は８個以上とするのが好ましい。
【０１８８】
また、上記の説明では、浄化材として竹炭を例にとって説明したが、他の浄化材でもよく、例えば、木炭等の他の多孔質材としてもよい。
【０１８９】
また、浄化材収納ユニット１００を取付け用紐部２１０ａ、２１０ｂ等により装置本体７、７’に取り付けるとしたが、他の方法でもよく、例えば、網状部２０１をクリップのような挟み具により右縦板１２の上辺や左縦板２２の上辺に取り付けるようにしてもよい。この場合、挟み具は、「浄化材収納部を収納本体部に固定するための固定手段」となる。
【０１９０】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１９１】
１  水質浄化システム
５、５Ａ、５Ｂ、５Ｃ、５Ｄ  水質浄化装置
７、７’  装置本体
８  ユニット収納部
１０  右構成部
１２  右縦板
１２ａ、２２ａ、４９、６９  開口部
１４  右横板
２０  左構成部
２２  左縦板
２４  左横板
３０  上前構成部
３２、５２  上横板
３４、５４  上縦板
４０  下前構成部
４２、６２  下横板
４４、６４  下縦板
５０  上後構成部
６０  下後構成部
７０、７２  横架部
８０、８２、８４、８６  脚部
Ｋ１〜Ｋ６、Ｋ１１〜Ｋ１５、Ｋ２１〜Ｋ２５、Ｋ３１〜Ｋ３９、Ｋ４１〜Ｋ４５  穴部
１００  浄化材収納ユニット
１０５  枠状部
１１０  下枠部
１１２  下枠部本体
１１３〜１１７  連結材部
１２０、１２２、１２４、１２６  縦材部
１３０  上枠部
２００  収納部
２０１  網状部
２０２  収納部本体
２０４、２０６  帯状部
２０８  紐挿通部
２１０ａ、２１０ｂ、２１２ａ、２１２ｂ、２１４ａ、２１４ｂ、２１６ａ、２１６ｂ  取付け用紐部
２２０ａ、２２０ｂ  閉じ用紐部
２５０  浄化材
３００、４００  連結部材
５００  トレー
５１０  トレー本体
５１２  底面部
５１４〜５２０  側面部
５３０〜５３６  取付部
【図１】
2018089588.tif 000003
【図２】
2018089588.tif 000004
【図３】
2018089588.tif 000005
【図４】
2018089588.tif 000006
【図５】
2018089588.tif 000007
【図６】
2018089588.tif 000008
【図７】
2018089588.tif 000009
【図８】
2018089588.tif 000010
【図９】
2018089588.tif 000011
【図１０】
2018089588.tif 000012
【図１１】
2018089588.tif 000013
【図１２】
2018089588.tif 000014
【図１３】
2018089588.tif 000015
【図１４】
2018089588.tif 000016